(57)【要約】展示会情報提示方法は、第１のユーザが入力する展示会情報提示起動操作を取得することであって、展示会情報提示起動操作は、第２のユーザが現在閲覧または検索している商品情報に関連付けられている、第１のユーザが入力する展示会情報提示起動操作を取得することと、事前設定の第１の位置に、商品情報に対応する展示会情報または展示会情報リンク項目を表示することと、を含み、前記展示会情報リンク項目は、第１のユーザが入力するリンク操作を取得して、対応する展示会情報提示ページを開くために使用される。このようにして、商品提示は展示会情報提示と組み合わされ、ユーザは、商品を閲覧または検索する時に、商品が出展される展示会に関する情報を即座に知ることができ、よって、商品の展示会情報の普及率は拡大し、ユーザと業者とのコミュニケーションチャネルは拡大し、ユーザと業者とのコミュニケーション効率は向上する。
2019519016.tif 000002
【特許請求の範囲】
【請求項１】
１つ以上のコンピューティングデバイスにより実施される方法であって、
第１のユーザが入力する展示会情報提示起動操作を取得することであって、前記展示会情報提示起動操作は商品情報に関連付けられており、前記商品情報は第２のユーザが閲覧または検索する商品に関する情報である、前記第１のユーザが入力する前記展示会情報提示起動操作を取得することと、
前記展示会情報提示起動操作に応じて、事前設定の位置に、前記商品情報に対応する展示会情報または展示会情報リンクを表示することと、
を含む前記方法。
【請求項２】
前記第２のユーザの展示会登録情報を取得することと、
前記展示会登録情報に少なくとも部分的に基づいて、前記展示会登録情報内で前記第２のユーザが登録した展示会が、前記商品情報に対応する前記展示会情報内の展示会と一致するか否かを判定することと、
前記第２のユーザが登録した前記展示会が、前記商品情報に対応する前記展示会情報内の前記展示会と一致するという判定に応じて、催促ダイアログボックスを表示することと、
をさらに含む、請求項１に記載の方法。
【請求項３】
前記第２のユーザの現在位置情報を取得することと、
前記現在位置情報に少なくとも部分的に基づいて、前記第２のユーザが登録した前記展示会に前記第２のユーザが現在いるか否かを判定することと、
前記第２のユーザが登録した前記展示会に前記第２のユーザが現在いるという判定に応じて、前記展示会内の前記商品の位置を表示することと、
をさらに含む、請求項２に記載の方法。
【請求項４】
前記第２のユーザが収集またはフォローした商品情報に対応する展示時刻を問合わせることと、
前記展示時刻と現在時刻との時間差を計算することと、
前記時間差が事前設定の閾値以下であるか否かを判定することと、
前記時間差が前記事前設定の閾値以下であるという判定に応じて、前記第２のユーザへ催促メッセージを送信することであって、前記催促メッセージは、前記収集またはフォローした商品情報に対応する展示会情報で前記第２のユーザを催促するように使用される、前記第２のユーザへ前記催促メッセージを送信することと、
をさらに含む、請求項１に記載の方法。
【請求項５】
前記第２のユーザの展示会登録情報を取得することと、
前記展示会登録情報と少なくとも部分的に一致する展示会情報に対応する推奨商品情報を問合わせることと、
前記推奨商品情報を商品検索結果ページの上部に表示することと、
をさらに含む、請求項１に記載の方法。
【請求項６】
新たな展示会の開催情報を取得することであって、前記開催情報には前記新たな展示会に出品される商品カテゴリが含まれる、前記新たな展示会の前記開催情報を取得することと、
前記商品情報に少なくとも部分的に基づいて、前記商品が前記商品カテゴリに属するか否かを判定することと、
前記商品が前記商品カテゴリに属するという判定に応じて、前記商品が前記新たな展示会に出展されるか否かを判定することと、
前記商品が前記新たな展示会に出展されるという判定に応じて、前記商品が前記新たな展示会に出展されることを示すラベルを表示することと、
をさらに含む、請求項１に記載の方法。
【請求項７】
前記展示会情報を取得することと、
前記展示会情報に含まれる展示会の商品カテゴリを特定することと、
前記商品カテゴリに属する１つ以上の商品のページ上に、前記展示会の関連情報を提示することと、
をさらに含む、請求項１に記載の方法。
【請求項８】
前記展示会情報を取得した後で、前記展示会の前記商品カテゴリを特定する前に、
前記展示会情報を審査することと、
前記展示会情報が前記審査を通った場合、前記展示会情報に含まれる前記展示会の前記商品カテゴリを特定することと、
をさらに含む、請求項７に記載の方法。
【請求項９】
前記展示会の前記関連情報を提示することは、前記展示会情報が複数の商品カテゴリを含む場合、前記商品カテゴリに属する前記１つ以上の商品の前記ページ上で、前記１つ以上の商品に対応する前記展示会情報の一部を提示することを含む、請求項７に記載の方法。
【請求項１０】
前記第２のユーザが閲覧または検索する前記商品が、前記展示会情報に含まれる展示会に展示されているか否かを判定することと、
前記商品が前記展示会で展示されているという判定に応じて、前記展示会の展示会マップを表示して、前記展示会マップ上に前記商品の展示位置を表示することと、
をさらに含む、請求項１に記載の方法。
【請求項１１】
前記第２のユーザの現在位置を取得することと、
前記展示会マップ上に前記第２のユーザの前記現在位置を表示することと、
前記第２のユーザの前記現在位置から前記商品の前記展示位置までの経路を表示することと、
をさらに含む、請求項１０に記載の方法。
【請求項１２】
前記第２のユーザの現在位置を取得することと、
前記第２のユーザの前記現在位置を、前記展示会情報に含まれる個々の展示会の地理的位置と比較して、前記第２のユーザが展示会内に位置するか否かを判定することと、
前記第２のユーザが前記展示会内に位置するという判定に応じて、前記第２のユーザが閲覧する前記商品の前記情報を取得することと、
をさらに含む、請求項１に記載の方法。
【請求項１３】
前記第２のユーザが位置する前記展示会で前記商品が展示されているか否かを判定することと、
前記第２のユーザが位置する前記展示会で前記商品が展示されている場合、展示会マップ上に前記商品の展示位置を表示することと、
をさらに含む、請求項１２に記載の方法。
【請求項１４】
前記展示会マップ上に前記第２のユーザの前記現在位置を表示することと、
前記第２のユーザの前記現在位置から前記商品の前記展示位置までの経路を表示することと、
をさらに含む、請求項１２に記載の方法。
【請求項１５】
１つ以上のプロセッサと、
メモリと、
前記メモリに格納され、前記１つ以上のプロセッサにより実行されると、第１のユーザが入力する展示会情報提示起動操作を取得する提示起動操作取得ユニットであって、前記展示会情報提示起動操作は商品情報に関連付けられており、前記商品情報は第２のユーザが閲覧または検索する商品に関する情報である、前記提示起動操作取得ユニットと、
前記展示会情報提示起動操作に応じて、事前設定の位置に、前記商品情報に対応する展示会情報または展示会情報リンクを表示するように構成された第１の表示ユニットと、
を備えるシステム。
【請求項１６】
前記第２のユーザの展示会登録情報を取得するように構成された第１の展示会登録情報取得ユニットと、
前記展示会登録情報に少なくとも部分的に基づいて、前記展示会登録情報内で前記第２のユーザが登録した展示会が、前記商品情報に対応する前記展示会情報内の展示会と一致するか否かを判定するように構成された展示会情報照合ユニットと、
前記第２のユーザが登録した前記展示会が、前記商品情報に対応する前記展示会情報と一致するという判定に応じて、催促ダイアログボックスを表示するように構成された催促表示ユニットと、
をさらに備える、請求項１５に記載のシステム。
【請求項１７】
前記第２のユーザの現在位置情報を取得するように構成されたユーザ現在位置取得ユニットと、
前記現在位置情報に少なくとも部分的に基づいて、前記第２のユーザが登録した前記展示会に前記第２のユーザが現在いるか否かを判定するように構成された位置照合ユニットと、
前記第２のユーザが登録した前記展示会に前記第２のユーザが現在いるという判定に応じて、前記展示会内の前記商品の位置を表示するように構成された商品位置表示ユニットと、
をさらに備える、請求項１６に記載のシステム。
【請求項１８】
前記第２のユーザが現在閲覧または検索している前記商品の前記情報を取得するように構成された第１の商品情報取得ユニットと、
前記第２のユーザが閲覧または検索する前記商品が、前記展示会情報に含まれる展示会に展示されているか否かを判定するように構成された展示判定ユニットと、
前記商品が前記展示会で展示されているという判定に応じて、前記展示会の展示会マップを表示して、前記展示会マップ上に前記商品の展示位置を表示するように構成された位置表示ユニットと、
をさらに備える、請求項１５に記載のシステム。
【請求項１９】
前記第２のユーザの現在位置を取得するように構成されたユーザ位置取得ユニットと、
前記展示会マップ上に前記第２のユーザの前記現在位置を表示するように構成されたユーザ位置表示ユニットと、
前記第２のユーザの前記現在位置から前記商品の前記展示位置までの経路を表示するように構成された経路表示ユニットと、
をさらに備える、請求項１８に記載のシステム。
【請求項２０】
実行可能命令を記憶する１つ以上のコンピュータ可読媒体であって、１つ以上のプロセッサにより実行されると、前記１つ以上のプロセッサに、
ユーザが閲覧または検索する商品情報を取得することと、
前記商品情報に基づいて、前記商品情報に対応する商品が展示会で紹介されているか否かを判定することと、
前記商品が前記展示会で紹介されているという判定に応じて、前記展示会の展示会マップを表示して、前記展示会マップ上に前記商品の展示位置を表示することと、
前記ユーザの現在位置を取得することと、
前記展示会マップ上に前記ユーザの前記現在位置を表示することと、
前記ユーザの前記現在位置から前記商品の前記展示位置までの経路を表示することと、
を含む行動を実行させる、前記１つ以上のコンピュータ可読媒体。
【発明の詳細な説明】
【技術分野】
【０００１】
関連出願の相互参照
本出願は、２０１６年４月６日に出願された“Ｅｘｈｉｂｉｔｉｏｎ  Ｉｎｆｏｒｍａｔｉｏｎ  Ｐｒｅｓｅｎｔａｔｉｏｎ  Ｍｅｔｈｏｄ  ａｎｄ  Ｓｙｓｔｅｍ”と題する中国特許出願第２０１６１０２１０４１５．０号に対する外国優先権を主張し、その全体が参照により本明細書に組み込まれるものとする。
【０００２】
本開示は、ソフトウェア技術分野に関し、特に展示会情報を提示するための方法及びシステムに関する。
【背景技術】
【０００３】
商品見本市及び博覧会などの様々なオフラインの展示会は、業者が自身の商品を宣伝する良い機会であり、良いプラットフォームである。商品及び業者に関するオンライン仮想化情報と比べると、オフラインの展示会は、ユーザが直感的に物理的商品を調べる、ならびに直接業者に問合わせ、協働する場合、よりふさわしくある。現在、ユーザの観点からすると、ユーザが商品または業者の展示会情報を知りたい場合、ユーザはインターネットを検索する、または職業展示会機関に問合わせる必要があり、ユーザが商品を見た時に関連展示会情報を即時に取得することはできない。業者の観点からすると、展示会情報は、商品情報プラットフォームとは分離されている。商品情報プラットフォーム（電子商取引プラットフォームなど）ははるかに大きなトラフィックを有し、商品情報プラットフォーム上では商品及び業者の関連展示会情報を提示することができないため、結果、展示会情報の発表の普及率及び即時性は低減され、商品の宣伝及び業務提携に影響を及ぼしている。
【発明の概要】
【０００４】
この発明の概要は、発明を実施するための形態においてさらに後述される概念の精選を、簡潔な形式で紹介するために提供される。この発明の概要には、請求項に記載された主題の全ての主要な特徴または重要な特徴を特定する意図はなく、また請求項に記載された主題の範囲を特定する補助として単独で使用される意図もない。「技術」という用語は、例えば、前述の文脈により、及び本開示を通して認められるデバイス（複数可）、システム（複数可）、方法（複数可）、及び／またはコンピュータ可読命令を指し得る。
【０００５】
既存技術における商品情報プラットフォームからの展示会情報の分離という問題を克服するために、本開示は、展示会情報を提示する方法及びシステムを提供する。
【０００６】
実施態様において、本開示は、展示会情報を提示する方法を提供する。方法は、ユーザが入力する展示会情報提示起動操作を取得することであって、展示会情報提示起動操作は商品情報に関連付けられており、商品情報はユーザが現在閲覧または検索している商品に関する情報である、ユーザが入力する展示会情報提示起動操作を取得することと、展示会情報提示起動操作に応じて、事前設定の第１の位置に、商品情報に対応する展示会情報または展示会情報リンク項目を表示することと、を含み得る。
【０００７】
実施態様において、方法はさらに、ユーザの展示会登録情報を取得することと、展示会登録情報に基づいて、ユーザが登録した展示会が、商品情報に対応する展示会情報内の展示会と一致するか否かを判定することと、ユーザが登録した展示会が、商品情報に対応する展示会情報と一致することに応じて、催促ダイアログボックスを表示することと、を含み得る。
【０００８】
実施態様において、方法はさらに、ユーザの現在位置情報を取得することと、現在位置情報に基づいて、ユーザが登録した展示会内にユーザが位置するか否かを判定することと、ユーザが登録した展示会内にユーザが位置する場合、展示会内の商品の位置を表示することと、を含み得る。
【０００９】
実施態様において、方法はさらに、ユーザが収集またはフォローした商品情報に対応する展示時刻を問合わせることと、展示時刻と現在時刻との時間差を計算することと、時間差が事前設定の閾値以下であるか否かを判定することと、時間差が事前設定の閾値以下である場合、ユーザへ催促メッセージを送信することであって、催促メッセージは、収集またはフォローした商品情報に対応する展示会情報でユーザを催促するように使用される、ユーザへ催促メッセージを送信することと、を含み得る。
【００１０】
実施態様において、方法はさらに、商品情報が、ユーザが現在検索している商品に関する情報である場合、ユーザの展示会登録情報を取得することと、展示会登録情報と一致する展示会情報に対応する推奨商品情報を問合わせることと、推奨商品情報を商品検索結果ページ上に優先的に表示することと、を含み得る。
【００１１】
実施態様において、方法はさらに、新たな展示会の開催情報を取得することであって、開催情報には展示される商品カテゴリが含まれる、新たな展示会の開催情報を取得することと、商品情報に基づいて、商品が商品カテゴリに属するか否かを判定することと、商品が商品カテゴリに属する場合、商品情報に対応する展示会情報に基づいて、商品が新たな展示会に出展されるか否かを判定することと、商品が新たな展示会に出展される場合、商品が新たな展示会に出展されることを示すラベルを表示することと、商品が新たな展示会に出展されない場合、新展示会推薦メッセージを表示することと、を含み得る。
【００１２】
実施態様において、本開示は、展示会情報を提示する別の方法を提供する。方法は、展示会情報を取得することと、展示会情報に基づいて、展示会に含まれる商品カテゴリを特定することと、商品カテゴリに属する商品のページ上に、関連展示会情報を提示することと、を含み得る。
【００１３】
実施態様において、展示会情報が取得された後、展示会情報に基づいて展示会に関連する商品カテゴリが特定される前に、方法はさらに、展示会情報を審査することと、展示会情報が審査を通った場合、展示会情報に基づいて展示会に含まれる商品カテゴリを特定することと、を含み得る。
【００１４】
実施態様において、商品カテゴリに属する商品のページ上で関連展示会情報を提示することは、商品カテゴリに属する商品のページ上で完全な展示会情報を提示すること、または展示会情報が複数の商品カテゴリを含む場合には、商品カテゴリに属する商品のページ上で商品に対応する展示会情報の一部を提示することを含み得る。
【００１５】
実施態様において、本開示はさらに、展示会ナビゲーション方法を提供し得る。方法は、ユーザが現在閲覧している商品情報を取得することと、商品情報に基づいて、対応する商品が展示会で紹介されているか否かを判定することと、商品が展示会で紹介されている場合、展示会の展示会マップを表示して、展示会マップ上に商品の展示位置を表示することと、を含み得る。
【００１６】
実施態様において、方法はさらに、ユーザの現在位置を取得することと、展示会マップ上のユーザの現在位置を表示することと、ユーザの現在位置から商品の展示位置までの経路を表示することと、を含み得る。
【００１７】
実施態様において、本開示はさらに、別の展示会ナビゲーション方法を提供し得る。方法は、ユーザの現在位置を取得することと、ユーザの現在位置を個々の展示会の地理的位置と比較して、ユーザが展示会内に位置するか否かを判定することと、ユーザが展示会内に位置する場合、ユーザが現在閲覧している商品情報を取得することと、商品情報に基づいて、ユーザが位置する展示会で対応する商品が紹介されているか否かを判定することと、ユーザが位置する展示会で商品が紹介されている場合、展示会マップ上に商品の展示位置を表示することと、を含み得る。
【００１８】
実施態様において、方法はさらに、展示会マップ上にユーザの現在位置を表示することと、ユーザの現在位置から商品の展示位置までの経路を表示することと、を含み得る。
【００１９】
実施態様において、本開示はさらに、展示会情報提示システムを提供する。システムは、ユーザが入力する展示会情報提示起動操作を取得するように構成された提示起動操作取得ユニットであって、展示会情報提示起動操作は商品情報に関連付けられており、商品情報はユーザが現在閲覧または検索している商品に関する情報である、提示起動操作取得ユニットと、展示会情報提示起動操作に応じて、事前設定の第１の位置に、商品情報に対応する展示会情報または展示会情報リンク項目を表示するように構成された第１の表示ユニットと、を含み得る。
【００２０】
実施態様において、システムはさらに、ユーザの展示会登録情報を取得するように構成された第１の展示会登録情報取得ユニットと、展示会登録情報に基づいて、ユーザが登録した展示会が、商品情報に対応する展示会情報内の展示会と一致するか否かを判定するように構成された展示会情報照合ユニットと、ユーザが登録した展示会が、商品情報に対応する展示会情報と一致する場合、催促ダイアログボックスを表示するように構成された催促表示ユニットと、を含み得る。
【００２１】
実施態様において、システムはさらに、ユーザの現在位置情報を取得するように構成されたユーザ現在位置取得ユニットと、現在位置情報に基づいて、ユーザが登録した展示会内にユーザが位置するか否かを判定するように構成された位置照合ユニットと、ユーザが登録した展示会内にユーザが位置する場合、展示会内の商品の位置を表示するように構成された商品位置表示ユニットと、を含み得る。
【００２２】
実施態様において、システムはさらに、ユーザが収集またはフォローした商品情報に対応する展示時刻を問合わせるように構成された展示時刻問合わせユニットと、展示時刻と現在時刻との時間差を計算するように構成された開始時間差計算ユニットと、時間差が事前設定の閾値以下であるか否かを判定するように構成された時間差判定ユニットと、時間差が事前設定の閾値以下である場合、ユーザへ催促メッセージを送信するように構成された催促メッセージ送信ユニットであって、催促メッセージは、収集またはフォローした商品情報に対応する展示会情報でユーザを催促するように使用される、催促メッセージ送信ユニットと、を含み得る。
【００２３】
実施態様において、システムはさらに、商品情報が、ユーザが現在検索している商品に関する情報である場合、ユーザの展示会登録情報を取得するように構成された第２の展示会登録情報取得ユニットと、展示会登録情報と一致する展示会情報に対応する推奨商品情報を問合わせるように構成された推奨商品情報問合せユニットと、推奨商品情報を商品検索結果ページ上に優先的に表示するように構成された推奨商品情報表示ユニットと、を含み得る。
【００２４】
実施態様において、システムはさらに、新たな展示会の開催情報を取得するように構成された開催情報取得ユニットであって、開催情報には展示される商品カテゴリが含まれる、開催情報取得ユニットと、商品情報に従って、商品が商品カテゴリに属するか否かを判定するように構成された商品カテゴリ判定ユニットと、商品が商品カテゴリに属する場合、商品情報に対応する展示会情報に基づいて、商品が新たな展示会に出展されるか否かを判定するように構成された展示会出展判定ユニットと、商品が新たな展示会に出展される場合、商品が新たな展示会に出展されることを示すラベルを表示するように構成された展示会出展ラベル表示ユニットと、商品が新たな展示会に出展されない場合、新展示会推薦メッセージを表示するように構成された展示会推薦メッセージ表示ユニットと、を含み得る。
【００２５】
実施態様において、本開示は、別の展示会情報提示システムを提供する。システムは、展示会情報を取得するように構成された展示会情報取得ユニットと、展示会情報に基づいて、展示会に含まれる商品カテゴリを特定するように構成された商品カテゴリ特定ユニットと、商品カテゴリに属する商品のページ上に、関連展示会情報を提示するように構成された提示ユニットと、を含み得る。
【００２６】
実施態様において、システムはさらに、展示会情報が取得された後、展示会情報に従って展示会に関連する商品カテゴリが特定される前に、展示会情報を審査するように構成された審査ユニットと、展示会情報が審査を通った場合、展示会情報に基づいて展示会に含まれる商品カテゴリを特定するように構成された商品カテゴリ特定ユニットと、を含み得る。
【００２７】
実施態様において、提示ユニットはさらに、商品カテゴリに属する商品のページ上で完全な展示会情報を提示する、または展示会情報が複数の商品カテゴリを含む場合には、商品カテゴリに属する商品のページ上で商品に対応する展示会情報の一部を提示するように構成され得る。
【００２８】
実施態様において、本開示はさらに、展示会ナビゲーション装置を提供する。装置は、ユーザが現在閲覧している商品情報を取得するように構成された第１の商品情報取得ユニットと、商品情報に基づいて、対応する商品が展示会で紹介されているか否かを判定するように構成された展示判定ユニットと、商品が展示会で紹介されている場合、展示会の展示会マップを表示して、展示会マップ上に商品の展示位置を表示するように構成された位置表示ユニットと、を含み得る。
【００２９】
実施態様において、装置はさらに、ユーザの現在位置を取得するように構成されたユーザ位置取得ユニットと、展示会マップ上にユーザの現在位置を表示するように構成されたユーザ位置表示ユニットと、ユーザの現在位置から商品の展示位置までの経路を表示するように構成された経路表示ユニットと、を含み得る。
【００３０】
実施態様において、本開示はさらに、展示会ナビゲーション装置を提供し得る。装置は、ユーザの現在位置を取得するように構成されたユーザ位置取得ユニットと、ユーザの現在位置を個々の展示会の地理的位置と比較して、ユーザが展示会内に位置するか否かを判定するように構成された第１の判定ユニットと、ユーザが展示会内に位置する場合、ユーザが現在閲覧している商品情報を取得するように構成された第２の商品情報取得ユニットと、商品情報に基づいて、ユーザが位置する展示会で対応する商品が紹介されているか否かを判定するように構成された第２の判定ユニットと、ユーザが位置する展示会で商品が紹介されている場合、展示会マップ上に商品の展示位置を表示するように構成された展示位置表示ユニットと、を含み得る。
【００３１】
実施態様において、装置はさらに、展示会マップ上にユーザの現在位置を表示するように構成されたユーザ位置表示ユニットと、ユーザの現在位置から商品の展示位置までの経路を表示するように構成された経路表示ユニットと、を含み得る。
【００３２】
本開示の実施形態において提供される技術的解決策では、商品情報の提示は、展示会情報の提示と組み合わされる。対応する展示会情報は、商品情報が提示される位置に提示され、これにより、ユーザは、商品を閲覧または検索する時に、その商品が出展される展示会に関する情報を即座に知ることができ、よって商品の展示会情報の普及率は拡大される。これにより、ユーザがより効率的かつより適時に、業者とのオフライン交流の場である展示会の情報を取得しやすくなり、業者の顧客数は増大し、商品は販売促進される。
【００３３】
前述の概要説明及び後述の詳細説明は、単なる模範及び例示にすぎず、本開示を限定するものではないことに留意されたい。
【００３４】
本開示の実施形態における技術的解決策または既存の技術をより明瞭に説明するために、実施形態または既存の技術を説明するのに必要な添付図面が本明細書で簡潔に紹介される。当業者はこれらの添付図面に基づいて、創作的な努力を注ぐことなく他の図面を取得し得ることは明らかであろう。
【図面の簡単な説明】
【００３５】
【図１】本開示の例示的な一実施形態による、展示会情報提示方法のフローチャートである。
【図２】商品展示会情報を設定するインターフェースである。
【図３】展示会情報の提示の一実施例である。
【図４】展示会情報の提示の別の一実施例である。
【図５】本開示の例示的な一実施形態による、別の展示会情報提示方法のフローチャートである。
【図６】本開示の例示的な一実施形態による、別の展示会情報提示方法のフローチャートである。
【図７】本開示の例示的な一実施形態による、別の展示会情報提示方法のフローチャートである。
【図８】本開示の例示的な一実施形態による、別の展示会情報提示方法のフローチャートである。
【図９】本開示の例示的な一実施形態による、別の展示会情報提示方法のフローチャートである。
【図１０】本開示の例示的な一実施形態による、別の展示会情報提示方法のフローチャートである。
【図１１】本開示の例示的な一実施形態による、別の展示会情報提示方法のフローチャートである。
【図１２】本開示の例示的な一実施形態による、展示会ナビゲーション方法のフローチャートである。
【図１３】本開示の例示的な一実施形態による、別の展示会ナビゲーション方法のフローチャートである。
【図１４】本開示の例示的な一実施形態による、別の展示会ナビゲーション方法のフローチャートである。
【図１５】本開示の例示的な一実施形態による、別の展示会ナビゲーション方法のフローチャートである。
【図１６】本開示の例示的な一実施形態による、展示会情報提示システムの構造図である。
【図１７】本開示の例示的な一実施形態による、別の展示会情報提示システムの構造図である。
【図１８】本開示の例示的な一実施形態による、別の展示会情報提示システムの構造図である。
【図１９】本開示の例示的な一実施形態による、別の展示会情報提示システムの構造図である。
【図２０】本開示の例示的な一実施形態による、別の展示会情報提示システムの構造図である。
【図２１】本開示の例示的な一実施形態による、別の展示会情報提示システムの構造図である。
【図２２】本開示の例示的な一実施形態による、別の展示会情報提示システムの構造図である。
【図２３】本開示の例示的な一実施形態による、別の展示会情報提示システムの構造図である。
【図２４】本開示の例示的な一実施形態による、展示会ナビゲーション装置の構造図である。
【図２５】本開示の例示的な一実施形態による、別の展示会ナビゲーション装置の構造図である。
【図２６】本開示の例示的な一実施形態による、別の展示会ナビゲーション装置の構造図である。
【図２７】本開示の例示的な一実施形態による、別の展示会ナビゲーション装置の構造図である。
【図２８】図１６〜２７においてより詳細に説明される例示的なシステムまたは装置の構造図である。
【発明を実施するための形態】
【００３６】
例示的な実施形態は本明細書で詳細に説明され、その実施例は、図面において表現される。図面が本明細書の説明に含まれる場合、異なる図面における同一の番号は、特に指定されない限り、同一または類似の要素を表す。下記の例示的な実施形態において説明される実施態様は、本開示と一貫する全ての実施態様を表すものではない。むしろ、これらは、添付の特許請求の範囲において詳細に記載される本開示のいくつかの態様と一貫するシステム及び方法の実施例にすぎない。
【００３７】
本開示の包括的な理解のために、下記の詳細説明において、多数の例示的な詳細が記載される。しかし、本開示はこれらの例示的な詳細なしに実施できることが当業者には理解されよう。他の実施形態において、不必要に実施形態を不明瞭にすることを避けるために、周知の方法、プロセス、構成要素、及び回路は、詳細に説明されない。
【００３８】
図１は、本開示の例示的な一実施形態による、展示会情報提示方法１００のフローチャートである。図１に示されるように、方法１００は以下の動作を含み得る。
【００３９】
Ｓ１０１は、ユーザが入力する展示会情報提示起動操作を取得し、展示会情報提示起動操作は商品情報に関連付けられており、商品情報はユーザが現在閲覧または検索している商品に関する情報である。
【００４０】
実施態様において、展示会情報提示起動操作ＵＩ（すなわちユーザインターフェース）が、商品情報プラットフォーム上に設定される。展示会情報提示起動操作ＵＩは、商品情報に対応し、ＵＩは、商品閲覧ページまたは商品検索ページ上に配置され得る。商品閲覧ページは、個別商品情報ページまたは業者商品情報ページであり得る。個別商品情報ページは、商品の情報を表示し、１つの展示会情報提示起動操作ＵＩのみが設定される必要がある。業者商品情報ページは、業者に関する情報、業者の商品に関する情報、または業者及び商品に関する情報を表示する。実際には業者が展示会に参加することから、業者の商品は通常同じ展示会に出展される。そのため、１つの展示会情報提示起動操作ＵＩが業者商品情報ページ上に設定されてもよく、ユーザは、ＵＩを操作することで業者の全ての展示会情報を取得することができる。あるいは、特に業者の異なる商品が展示会の異なる展示エリアに配置される場合、商品ごとに、個別展示会情報提示起動操作ＵＩが設定されてもよい。ユーザは、各商品に対応する展示会情報提示起動操作ＵＩを通して、各商品の特有展示会情報を取得し得る。展示会情報提示起動操作ＵＩはまた、商品検索ページ上にも存在し得る。適用シナリオでは、展示会情報提示起動操作ＵＩは、商品検索完了後に商品検索結果ページ上に表示され得、各商品に対応し得る。各商品に対応する展示会情報提示起動操作ＵＩは、各商品項目の横に設定され得る。このようにして、ユーザは、商品検索結果を閲覧する時に、各商品に対応する各展示会情報提示起動操作ＵＩを通して、商品の展示会情報も見てもよい。別の適用シナリオでは、検索ボックスが、展示会情報提示起動操作ＵＩとして機能し得る。検索対象の商品を入力した後に検索を確定するユーザ動作も、展示会情報提示起動操作であり得る。システムは、操作に応じて商品を検索し、検索結果を表示し、各検索結果に対応する展示会情報を検索結果ページ上に提示する。ユーザが展示会情報提示起動操作を行うと、各商品の展示会情報に関して操作が実行される。展示会情報提示起動操作ＵＩは商品情報に対応するように、展示会情報提示起動操作は、商品情報に関連付けられている。
【００４１】
展示会情報提示起動操作ＵＩは、ボタン、またはチェックボックスなどであり得る。展示会情報を表示するか否かに関するチェックボックスのそばに印を付けることにより、またはユーザがボタンをクリックもしくは押下することにより、展示会情報提示機能が有効化される。あるいは、ユーザがチェックボックスに印をつけると、展示会情報が表示される。
【００４２】
商品情報に対応する展示会情報は、事前に設定されることに留意されたい。図２は、商品展示会情報を設定するインターフェース２００である。業者は、商品の情報をアップロードまたは編集する時に、商品の提示情報を設定し得る。図２に示されるように、イベント１〜４が、近日中の展示会である。展示会で商品を紹介する予定である場合、参加チェックバーに印がつけられ、展示会での特定位置が入力される。例えば、「ホール３、ｄ３３」（第３ホール、ブース３３）、「ｅ５５ブース」（ブースＮｏ．５５）などが、図２に示されるブース番号入力ボックスに入力され得る。展示会内の位置が未定の場合、「不明」が入力され得る。商品情報に対応する展示会情報は、要件に従って関連設定インターフェースを設計することにより、設定され得る。
【００４３】
Ｓ１０２は、展示会情報提示起動操作に応じて、事前設定の第１の位置に、商品情報に対応する展示会情報または展示会情報リンク項目を表示する。
【００４４】
実施態様において、展示会情報リンク項目を使用して、ユーザが入力するリンク操作を取得してもよく、リンク操作に応じて、対応する展示会情報提示ページが開かれ得る。第１の位置は、事前に設定される。適用シナリオでは、第１の位置は、本来の商品閲覧ページ上に確保された展示会情報提示位置であってもよく、または、本来の商品検索ページ上で各商品情報に対応する展示会情報提示位置であってもよい。第１の位置は、商品閲覧または検索ページの設計要件に従って、設定され得る。別の適用シナリオでは、第１の位置は、ポップアップした新ページまたは新ウィンドウ上の事前設定の展示会情報提示位置である。ユーザが展示会情報提示起動操作を行った後、新ページまたは新ウィンドウがポップアップし、商品情報に対応する展示会情報が、新ページまたは新ウィンドウ上に提示される。例えば、展示会情報提示起動操作ＵＩは、ボタンであり得る。ユーザがボタンをクリック、またはボタン上にマウスを配置すると、新ページまたは新ウィンドウがポップアップし、商品の展示会情報を提示する。本来の商品閲覧ページ、商品検索ページ、ポップアップした新ページまたは新ウィンドウにかかわらず、商品の展示会情報は、事前設定の第１の位置に直接表示され得る。あるいは、展示会情報リンク項目のみが提示される。あるいは、展示会情報の大部分は、残りの展示会情報が提示用に展示会情報リンク項目に縮小された状態で提示される。ユーザが展示会情報リンク項目をクリックする、または展示会情報リンク項目上にマウスを置くと、新たな提示ページまたは新たな提示ウィンドウが開き、展示会情報の全てまたは一部が表示される。比較的大容量のコンテンツが商品閲覧ページもしくは商品閲覧ページ上に表示される場合、または小さい新ウィンドウまたは新ページのみのポップアップが許される場合、展示会情報リンク項目を使うことが好適であることから、展示会情報リンク項目が初めに表示され、ユーザは展示会情報リンク項目を操作して、より具体的で詳細な展示会情報をさらに取得することが可能となる。展示会情報リンク項目は、ボタンの形態またはテキストリンクであり得る。
【００４５】
図３は、展示会情報の提示の一実施例であり、図４は、展示会情報の提示の別の一実施例である。図３は、業者の商品情報提示ページ３００を示す。参加予定の展示会（複数可）に関するテキスト説明が、商品紹介の下の部分に表示され、その下にある３つのボタンは、参加予定の３つの展示会の展示会情報リンク項目である。ユーザが各展示会情報リンク項目をクリックすると、それぞれの新ページがポップアップし、ユーザは、新ページ上で各展示会に関する詳細情報を見てもよい。図３に示される３つの展示会情報リンク項目はまた、単一の展示会情報リンク項目として合併されてもよい。単一の展示会情報リンク項目をユーザがクリックすると、新ページがポップアップし、ユーザは、新ページ上で全ての展示会に関する情報を見てもよい。図４は、業者商品情報ページ４００上で提示される業者に関する情報の一部を示す。参加予定の展示会（複数可）に関するテキスト説明が、下の部分に配置され、３つのボタンは、展示会情報リンク項目である。図４に示される３つの展示会情報リンク項目はまた、単一の展示会情報リンク項目として合併されてもよい。展示会情報リンク項目をユーザがクリックすると、新ページがポップアップし、対応する展示会情報が新ページ上で提示される。
【００４６】
本開示で提供される展示会情報提示方法は、商品（複数可）の情報の提示を、展示会（複数可）の情報の提示と組み合わせる。よって、商品を閲覧または検索する時、ユーザは、商品が出展され得る展示会に関する情報を即座に知ることができ、従って商品の展示会情報の普及率が拡大し、これにより、ユーザがより効率的かつより適時に、業者とのオフライン交流の場である展示会の情報を取得することが促進され、また業者の顧客数を増やし、商品を販売促進することが助長される。
【００４７】
図５は、本開示の例示的な一実施形態による、別の展示会情報提示方法５００のフローチャートを示す。図５に示されるように、方法５００は以下の動作を含み得る。
【００４８】
Ｓ５０１は、ユーザが入力する展示会情報提示起動操作を取得し、展示会情報提示起動操作は商品情報に関連付けられており、商品情報はユーザが現在閲覧または検索している商品に関する情報である。
【００４９】
Ｓ５０２は、展示会情報提示起動操作に応じて、事前設定の第１の位置に、商品情報に対応する展示会情報または展示会情報リンク項目を表示する。
【００５０】
Ｓ５０３は、ユーザの展示会登録情報を取得する。
【００５１】
Ｓ５０４は、展示会登録情報に基づいて、ユーザが登録した展示会が、商品情報に対応する展示会情報内の展示会と一致するか否かを判定する。
【００５２】
Ｓ５０５は、ユーザが登録した展示会が、商品情報に対応する展示会情報と一致する場合、催促ダイアログボックスを表示する。
【００５３】
Ｓ５０１及びＳ５０２の詳細は、Ｓ１０１及びＳ１０２の詳細を参照してもよい。さらに、ユーザが関心を持つ、または参加予定の展示会に関する情報をユーザが忘れないように、ならびに展示会に遅れずに参加するようにユーザにリマインドして、ユーザの商品展示会情報の印象を強化するために、この実施形態では、Ｓ５０１及びＳ５０２に加えて、ユーザの展示会登録情報がさらに取得される。展示会登録情報は、ユーザにより事前に入力され、ユーザが関心を持つ、または参加予定の展示会を記録するために使用される。展示会登録情報は、ユーザのユーザ名に基づいて、展示会登録情報を記憶するデータベースまたは記憶領域に問合わされ、見つけられ得る。展示会登録情報が取得されると、ユーザが現在閲覧または検索している商品（複数可）の情報に対応する展示会情報が、展示会登録情報と比較される。ユーザが登録した展示会（複数可）が、商品（複数可）の情報に対応する展示会情報内の展示会（複数可）と一致する場合、催促ダイアログボックスが表示される。催促ダイアログボックスは、ユーザが関心を持つ、または参加予定の展示会（複数可）に出展される１つ以上の商品をユーザにリマインドするために使用され得る。ユーザが複数の展示会に登録し、商品情報に対応する展示会情報が複数の展示会を含む場合、これは、ユーザが登録した全ての展示会は、商品情報に対応する展示会情報内の全ての展示会と同一であり得る、ユーザが登録した展示会の一部は、商品情報に対応する展示会情報内の全ての展示会と同一であり得る、ユーザが登録した全ての展示会は、商品情報に対応する展示会情報内の展示会の一部と同一であり得る、またはユーザが登録した展示会の一部は、商品情報に対応する展示会情報内の展示会の一部と同一であり得ることを示す。言い換えると、ユーザが登録したいずれかの展示会が、商品情報に対応する展示会情報内のいずれかの展示会と同一であれば、催促ダイアログボックスが表示される。
【００５４】
複数の催促ダイアログボックスがあり得ることに留意されたい。ユーザが単一の商品を現在閲覧している場合、単一の催促ダイアログボックスを使用して、ユーザが関心を持つ、または見に行く予定の現在の商品が出展される展示会（複数可）の催促が行われ得る。ユーザが複数の商品を現在閲覧、またはユーザが商品（複数可）を検索している場合、複数の催促ダイアログボックスが使用されてもよく、各催促ダイアログボックスは、ユーザが関心を持つ、または見に行く予定の各商品が出展される展示会（複数可）の催促を行う。
【００５５】
図６は、本開示の例示的な一実施形態による、別の展示会情報提示方法６００のフローチャートを示す。図６に示されるように、方法６００は以下の動作を含み得る。
【００５６】
Ｓ６０１は、ユーザが入力する展示会情報提示起動操作を取得し、展示会情報提示起動操作は商品情報に関連付けられており、商品情報はユーザが現在閲覧または検索している商品に関する情報である。
【００５７】
Ｓ６０２は、展示会情報提示起動操作に応じて、事前設定の第１の位置に、商品情報に対応する展示会情報または展示会情報リンク項目を表示する。
【００５８】
Ｓ６０３は、ユーザの展示会登録情報を取得する。
【００５９】
Ｓ６０４は、展示会登録情報に基づいて、ユーザが登録した展示会（複数可）が、商品情報に対応する展示会情報内の展示会（複数可）と一致するか否かを判定する。
【００６０】
Ｓ６０５は、ユーザが登録した展示会（複数可）が、商品情報に対応する展示会情報内の展示会（複数可）と一致する場合、催促ダイアログボックス（複数可）を表示する。
【００６１】
Ｓ６０６は、ユーザの現在位置情報を取得する。
【００６２】
Ｓ６０７は、現在位置情報に基づいて、ユーザが登録した展示会にユーザがいるか否かを判定する。
【００６３】
Ｓ６０８は、ユーザが登録した展示会にユーザがいる場合、展示会内の商品の位置を表示する。
【００６４】
Ｓ６０１〜Ｓ６０５の詳細は、Ｓ５０１〜Ｓ５０５の詳細を参照してもよい。さらに、ユーザの現在位置情報がさらに取得され得る。現在位置情報は、ユーザが使用する端末の測位システムを用いて取得され得る。ユーザの現在位置情報が取得されると、ユーザが登録した展示会にユーザがいるか否かに関して、判定が行われる。ユーザが登録した展示会の位置情報は、ユーザが展示会登録情報を入力する時に事前に入力され得る、またはユーザが入力した展示会登録情報内の展示会の名前に従って、システムがマップ情報を問合わせることで取得され得る。ユーザが登録した展示会にユーザがいる場合、すなわちユーザが登録した展示会の位置範囲内にユーザの現在位置がある場合、これは、ユーザが現在展示会に参加していることを示す。展示会において、ユーザが現在閲覧または検索している商品の位置が表示される。展示会内の商品の位置を表示することは、ユーザが現在参加している展示会内の商品の位置を表示することを指し、このように表示することには、展示会の配置図を取得することと、配置図に商品の位置を印付けることが含まれ得る。配置図は、システム内に事前に記憶され得る、またはウェブ接続された展示会システムから取得され得る。展示会内の商品の位置は、商品に対応する展示会情報から取得され得る。展示会内の商品の位置は、ユーザが現在参加している展示会内に商品が展示される時にのみ表示されることに留意されたい。商品に対応する展示会情報に、ユーザが現在参加している展示会が含まれない場合、すなわちユーザが登録した現在の展示会が、商品情報に対応する展示会情報内のいずれの展示会とも一致しない場合、展示会内の商品の位置は表示されない。
【００６５】
本実施形態において提供される解決策は、ユーザが展示会を訪れている時に、展示会内の商品の位置をユーザに表示して、ユーザが商品を見つけやすくし、よって商品の顧客誘引力を向上させる。
【００６６】
図７は、本開示の例示的な一実施形態による、別の展示会情報提示方法７００のフローチャートを示す。図７に示されるように、方法７００は以下の動作を含み得る。
【００６７】
Ｓ７０１は、ユーザが入力する展示会情報提示起動操作を取得し、展示会情報提示起動操作は商品情報に関連付けられており、商品情報はユーザが現在閲覧または検索している商品に関する情報である。
【００６８】
Ｓ７０２は、展示会情報提示起動操作に応じて、事前設定の第１の位置に、商品情報に対応する展示会情報または展示会情報リンク項目を表示する。
【００６９】
Ｓ７０３は、ユーザが収集またはフォローした商品情報に対応する展示時刻を問合わせる。
【００７０】
Ｓ７０４は、展示時刻と現在時刻との時間差を計算する。
【００７１】
Ｓ７０５は、時間差が事前設定の閾値以下であるか否かを判定する。
【００７２】
Ｓ７０６は、時間差が事前設定の閾値以下である場合、ユーザへ催促メッセージを送信し、催促メッセージは、収集またはフォローした商品情報に対応する展示会情報でユーザを催促するように使用される。
【００７３】
Ｓ７０１及びＳ７０２の詳細は、Ｓ１０１及びＳ１０２を参照することができる。さらに、ユーザが事前に収集またはフォローした商品情報に関して、対応する展示時間が問い合わせられる。展示時間は、商品情報に対応する展示会情報から取得され得る。展示時刻と現在時刻との時間差が計算される。時間差が事前設定の閾値以下である場合、これは、ユーザが収集またはフォローした商品が出展予定の展示会が迫っていることを示す。そのため、収集またはフォローした商品情報に対応する展示会情報でユーザを催促するように、催促メッセージがユーザに送信され、よって、ユーザは、関連する展示会に遅れずに参加するようにリマインドされる。事前設定の閾値は、実際の状況に応じて設定されてもよく、例えば３日に設定されてもよい。時間差が事前設定の閾値以下である場合、催促メッセージはさらに、一定間隔で送信されるように、例えば日中に３時間ごとに送信されるように設定されてもよい。
【００７４】
図８は、本開示の例示的な一実施形態による、別の展示会情報提示方法８００のフローチャートである。図８に示されるように、方法８００は以下の動作を含み得る。
【００７５】
Ｓ８０１は、ユーザが入力する展示会情報提示起動操作を取得し、展示会情報提示起動操作は商品情報に関連付けられており、商品情報はユーザが現在閲覧または検索している商品に関する情報である。
【００７６】
Ｓ８０２は、展示会情報提示起動操作に応じて、事前設定の第１の位置に、商品情報に対応する展示会情報または展示会情報リンク項目を表示する。
【００７７】
Ｓ８０３は、商品情報が、ユーザが現在検索している商品に関する情報である場合、ユーザの展示会登録情報を取得する。
【００７８】
Ｓ８０４は、展示会登録情報と一致する展示会情報に対応する推奨商品情報を問い合わせる。
【００７９】
Ｓ８０５は、推奨商品情報を商品検索結果ページ上に優先的に表示する。
【００８０】
Ｓ８０１及びＳ８０２の詳細は、Ｓ１０１及びＳ１０２を参照することができる。さらに、商品情報が、ユーザが現在検索している商品に関する情報である場合、すなわちユーザが商品を検索している場合、ユーザが事前に入力した展示会登録情報が取得される。見つかった商品情報に対応する展示会情報から、展示会登録情報と一致する展示会情報が検索される。展示会登録情報と一致する展示会情報に対応する商品情報、すなわち推奨商品情報が、取得される。商品検索結果ページが表示される時、見つかった推奨商品情報は、商品検索結果ページ上に優先的に表示される。実施態様において、商品情報に対応する展示会情報が、展示会登録情報と一致することには、商品情報に対応する展示会情報内の全ての展示会が、展示会登録情報内の全ての展示会と同じであること、商品情報に対応する展示会情報内の展示会の一部が、展示会登録情報内の全ての展示会と同じであること、商品情報に対応する展示会情報内の全ての展示会が、展示会登録情報内の展示会の一部と同じであること、または商品情報に対応する展示会情報内の展示会の一部が、展示会登録情報内の展示会の一部と同じであることが含まれ得る。実施態様において、優先的に表示することには、商品検索結果ページ上に他の商品情報より先に推奨商品情報を配置すること、推奨商品情報のフォントを赤に変更するなど推奨商品情報を強調表示すること、または他の商品情報より先に推奨商品情報を配置することと推奨商品情報を強調表示することとの組み合わせが含まれ得る。従って、ユーザが参加する展示会で紹介される商品をユーザは優先的に見ることができ、これにより、ユーザが対象とする商品の検索効率は向上し、商品の宣伝が強化される。
【００８１】
図９は、本開示の例示的な一実施形態による、別の展示会情報提示方法９００のフローチャートである。図９に示されるように、方法９００は以下の動作を含み得る。
【００８２】
Ｓ９０１は、ユーザが入力する展示会情報提示起動操作を取得し、展示会情報提示起動操作は商品情報に関連付けられており、商品情報はユーザが現在閲覧または検索している商品に関する情報である。
【００８３】
Ｓ９０２は、展示会情報提示起動操作に応じて、事前設定の第１の位置に、商品情報に対応する展示会情報または展示会情報リンク項目を表示する。
【００８４】
Ｓ９０３は、新たな展示会の開催情報を取得し、開催情報には展示される商品カテゴリが含まれる。
【００８５】
Ｓ９０４は、商品情報に基づいて、商品が商品カテゴリに属するか否かを判定する。
【００８６】
Ｓ９０５は、商品が商品カテゴリに属するという判定に応じて、商品情報に対応する展示会情報に基づいて、商品が新たな展示会に出展されるか否かを判定する。
【００８７】
Ｓ９０６は、商品が新たな展示会に出展されるという判定に応じて、商品が新たな展示会に出展されることを示すラベルを表示する。
【００８８】
Ｓ９０７は、商品が新たな展示会に出展されないという判定に応じて、新展示会推薦メッセージを表示する。
【００８９】
Ｓ９０１及びＳ９０２の詳細は、Ｓ１０１及びＳ１０２を参照することができる。適用シナリオでは、商品情報は、商品カテゴリを含む。商品情報を設定またはアップロードする時に、業者は、例えば商品が既に出展された、現在出展されている、及び今後出展予定である展示会に関する情報といった、商品の提示情報を設定し得る。実施態様において、商品の提示情報はさらに、商品が出展される展示会の商品カテゴリを含み得る。展示会情報展示システムは、商品情報を提示する時に、商品情報に対応する展示会情報を提示し得るが、これは、提示情報が既に設定されている場合に限られる。展示会情報提示システムは、展示会機関の展示会データシステムに接続され得る。展示会の宣伝及びサービスプラットフォームとして、展示会情報システムは、展示会データシステムが送信する新たな展示会の開催情報を受動的に取得、すなわち受信し得る、または設定時間に従って展示会データシステムから新たな展示会の開催情報を能動的に取得し得る。新たな展示会は、展示会情報提示システムが最後に受信または取得した開催情報に対応する展示会であり得る。通常、複数の展示会が存在する。従って、各展示会に関して、展示会情報提示システムが最後に受信した各展示会の開催情報は、展示会履歴にてその展示会の新たな展示と見なされ得る。そのため、複数の新たな展示会も存在し得る。新たな展示会の開始時間は、必ずしも未来の時間とは限らない場合がある。新たな展示会は、現在行われている展示会であってもよく、または近日中の展示会であってもよい。
【００９０】
開催情報に含まれる展示商品カテゴリはさらに、場所、時間、及び展示規模などの情報を含み得る。新たな展示会の開催情報を取得すると、展示会情報提示システムはまた、新たな展示会で展示される商品カテゴリを取得し、業者が既に設定またはアップロードした商品情報内の商品カテゴリに基づいて、業者の商品が商品カテゴリに属するか否かを判定し得る。新たな展示会で展示される商品カテゴリに商品が属する場合、これは、商品が新たな展示会に出展され得ることを示す。この場合、商品情報に対応する展示会情報に基づいて、商品が新たな展示会に既に出展されたか否かに関して、さらに判定が行われる。判定には、展示会情報に新たな展示会が存在するか否かを判定すること、例えば新たな展示会と同じ展示会名及び開始時間を有する展示会の展示会情報を検索することが含まれ得る。新たな展示会が存在する場合、これは、商品が新たな展示会に出展されたことを示す。新たな展示会が存在しない場合、これは、商品が新たな展示会に出展されないことを示す。付加的または代替的に、判定には、新たな展示会の情報を展示会情報と比較することが含まれ得る。新たな展示会と同じ名前の展示会が展示会情報に存在する場合、展示会の開始時間が、新たな展示会の開始時間とさらに比較される。開始時間も同一である場合、これは、商品が新たな展示会に出展されたことを示す。そうでない場合、これは、商品が新たな展示会に出展されないことを示す。
【００９１】
商品が新たな展示会に出展された場合、商品情報が掲載されたページ上に、新たな展示会に商品が出展されたことを示すラベルを表示して、ユーザに展示会を訪問するようリマインドが行われ、これにより、商品及び展示会の宣伝効果が達成される。商品情報が掲載されたページが別個の商品情報ページまたは業者商品情報ページである場合、業者の商品は通常同一の展示会に出展されることから、新たな展示会に出展された業者の単一商品または複数の商品を示すラベルがページ上に表示される。新たな展示会に商品が出展されたことを示すラベルはまた、業者商品情報ページでは、新たな展示会に出展される各商品に関する各情報の提示項目設定位置に表示され得る。これは、複数の新たな展示会が存在し、業者の異なる商品が異なる新たな展示会に出展される場合に、特に当てはまる。これらの場合、新たな展示会に出展される各商品に関する１つの情報に応じて、各商品が新たな展示会に出展されたことを示すラベルが表示されるため、関連する新展示会出展情報が、ユーザに対しより明瞭に表示され得る。検索結果ページなど、複数の商品情報を有するページ上では、各商品の１つの情報に応じて、各商品が新たな展示会に出展されたことを示すラベルはまた、当商品の１つの情報の提示項目設定位置に表示され得る。商品が新たな展示会に出展されない場合、商品が新たな展示会に出展され得ることをユーザまたは業者にリマインドするために、新展示会推薦メッセージが表示される。商品を出展可能である新たな展示会を推薦することは、業者にとってより価値があるため、新展示会推薦メッセージが、業者のアカウントのログイン後に表示される商品情報ページ上にのみ表示され得る。商品が商品カテゴリに属さない場合、これは、商品が新たな展示会に出展できないことを示し、よってプロセスは終了する。
【００９２】
図１０は、本開示の例示的な一実施形態による、別の展示会情報提示方法１０００のフローチャートである。図１０に示されるように、方法１０００は以下の動作を含み得る。
【００９３】
Ｓ１００１は、展示会情報を取得する。
【００９４】
Ｓ１００２は、展示会情報に基づいて、展示会に含まれる商品カテゴリを特定する。
【００９５】
Ｓ１００３は、商品カテゴリに属する商品のページ上に、関連展示会情報を提示する。
【００９６】
実施態様において、商品プラットフォームまたは電子商取引プラットフォームは、展示会プラットフォームとのプロトコルを事前に定義し得る。商品プラットフォームまたは電子商取引プラットフォームの展示会情報提示システムは、プロトコルに従って展示会プラットフォームから展示会情報、特に新展示会情報を、定期的に、または提示要求に応じて読み出すなど不定期に、読み出し得る。付加的または代替的に、展示会プラットフォームに記憶された展示会情報が更新されると、展示会プラットフォームは、展示会情報提示システムに更新メッセージを送信してもよく、展示会情報提示システムは、更新メッセージを受信後、展示会プラットフォームから新展示会情報を読み出し得る。付加的または代替的に、展示会プラットフォームは、展示会情報提示システムに定期的に展示会情報を送信し得る。付加的または代替的に、展示会プラットフォーム内の展示会情報が更新されると、展示会プラットフォームは、展示会情報提示システムに新展示会情報を送信し、展示会情報提示システムは、展示会情報を受信する。展示会情報は、展示会に展示される商品カテゴリ（複数可）を含み、さらに展示会に関連する時間、場所、ブース分布、商品紹介、製造業者紹介、及びマーケティング活動などの情報を含み得る。
【００９７】
展示会情報が取得されると、展示会に含まれる商品カテゴリは、展示会情報の構成に従って、構文解析される。展示会情報内に商品カテゴリ属性が設定されている場合、展示会情報から商品カテゴリ属性を直接読み取ることができ、これにより、展示会に含まれる商品カテゴリが特定される。商品カテゴリが特定されると、商品カテゴリと、商品プラットフォームまたは電子商取引プラットフォーム内の商品カテゴリとの照合が行われる。商品カテゴリが商品プラットフォーム内に存在しない場合、プロセスは終了する。商品カテゴリが存在する場合、商品カテゴリに属する１つ以上の商品が商品プラットフォーム内で検索され、１つ以上の商品のページ（複数可）上に、各展示会情報が提示される。展示会情報の提示は、完全な展示会情報の提示であってもよい。実施態様において、各商品に関して、展示会情報から各商品に対応する部分が抽出されてもよく、各商品に対応する展示会情報の部分が、各商品のページ上に提示されてもよい。提示には、事前に商品のページ上に提示領域を設定して、事前設定の提示領域に商品に関連する展示会情報を提示すること、または商品のページまたは新たなページ上のポップアップウィンドウに関連展示会情報を提示することが含まれ得る。
【００９８】
商品カテゴリの照合を行いやすくするために、商品プラットフォームまたは電子商取引プラットフォームが展示会プラットフォームとのプロトコルを定義する時に、商品カテゴリの表現形式がプロトコル内で指定され得ることに留意されたい。
【００９９】
図１１は、本開示の例示的な一実施形態による、別の展示会情報提示方法１１００のフローチャートである。図１１に示されるように、方法１１００は以下の動作を含み得る。
【０１００】
Ｓ１１０１は、展示会情報を取得する。
【０１０１】
Ｓ１１０２は、展示会情報を審査する。
【０１０２】
Ｓ１１０３は、展示会情報が審査を通った場合、展示会情報に基づいて展示会に含まれる商品カテゴリを特定する。
【０１０３】
Ｓ１１０４は、商品カテゴリに属する商品のページ上に、関連展示会情報を提示する。
【０１０４】
Ｓ１１０１はＳ１００１と同じであり、Ｓ１１０４はＳ１００３と同じである。展示会情報が取得されると、展示会情報が審査される。例えば、展示会情報が違法であるか否か、または展示会情報が期限切れであるか否かに関して、審査が行われる。展示会情報が審査を通った場合、展示会情報に基づいて、展示会に含まれる商品カテゴリが特定される。展示会情報を審査することは、システムのセキュリティ及びプログラム実行の有効性を確保することを助長する。
【０１０５】
本開示の本実施形態において提供される展示会提示方法は、展示会プラットフォームと協働して自動で展示会プラットフォームから展示会情報を取得し、展示会情報に含まれる商品カテゴリを特定し、完全な展示会情報、または商品カテゴリに属する商品の対応展示会情報を商品のページ上に表示し、よって、展示会情報に関して、商品ベースの対象を絞った自動的な宣伝を実施する。展示会情報に基づいて手動で行われる既存の商品分類及び宣伝ページ配給と比べると、これは大幅に作業負荷を低減し、宣伝効率を高め、また展示会情報の宣伝の適時性及び普及率を向上させる。
【０１０６】
図１２は、本開示の例示的な一実施形態による、展示会ナビゲーション方法１２００のフローチャートである。図１２に示されるように、方法１２００は以下の動作を含み得る。
【０１０７】
Ｓ１２０１は、ユーザが現在閲覧している商品情報を取得する。
【０１０８】
Ｓ１２０２は、商品情報に基づいて、対応する商品が展示会に出品されているか否かを判定する。
【０１０９】
Ｓ１２０３は、商品が展示会に出品されている場合、展示会の展示会マップを表示して、展示会マップ上に商品の展示位置を表示する。
【０１１０】
本実施形態において提供される方法は、商品プラットフォーム（もしくはアプリケーション（ＡＰＰ））、電子商取引プラットフォーム（もしくはＡＰＰ）、または展示会プラットフォーム（もしくはＡＰＰ）などに適用され得る。ユーザが商品を閲覧すると、対応する商品情報が取得される。商品情報に対応する商品が、予め記憶された展示商品情報（一般に展示会情報に含まれる）内に存在するか否かを判定するために、検索が行われる。商品が存在する場合、商品がある展示会（複数可）に出品されているまたは出品されると判定することができ、商品が出品されているまたは出品される展示会（複数可）が、商品に対応する展示商品情報に基づいて特定することができる。商品が存在しない場合、プロセスは終了する。
【０１１１】
商品が存在する場合（すなわち商品が展示会に出品されているまたは出品される場合）、展示会の展示会マップ（すなわち商品が属する展示会の展示会マップ）が表示される。展示会の商品展示位置情報において、商品の位置情報が見つけられる。位置情報に従って、商品の展示位置が展示会マップ上に表示される。展示会の展示会マップ、及び展示会に関連する展示位置情報（商品展示位置情報を含む）は、両方とも事前に記憶される。商品の展示位置は、ユーザが一目でわかるように、さらに強調表示され、例えば部分的に拡大表示、または異なる色で表示され得る。
【０１１２】
本開示の本実施形態において提供される方法は、対応する展示会マップと、ユーザが閲覧している商品に基づいてリアルタイムの商品の展示位置とを表示し、よって商品の情報を閲覧する時に展示会に関する情報を見ることを実現する。これは、ユーザが展示会に行くことを促進し、また展示会の宣伝を強化する。
【０１１３】
図１３は、本開示の例示的な一実施形態による、別の展示会ナビゲーション方法１３００のフローチャートである。図１３に示されるように、方法１３００は以下の動作を含み得る。
【０１１４】
Ｓ１３０１は、ユーザが現在閲覧している商品情報を取得する。
【０１１５】
Ｓ１３０２は、商品情報に従って、対応する商品が展示会に出品されているか否かを判定する。
【０１１６】
Ｓ１３０３は、商品が展示会に出品されている場合、展示会の展示会マップを表示して、展示会マップ上に商品の展示位置を表示する。
【０１１７】
Ｓ１３０４は、ユーザの現在位置を取得する。
【０１１８】
Ｓ１３０５は、展示会マップ上にユーザの現在位置を表示する。
【０１１９】
Ｓ１３０６は、ユーザの現在位置から商品の展示位置までの経路を表示する。
【０１２０】
Ｓ１３０１〜Ｓ１３０３は、Ｓ１２０１〜１２０３と同じである。商品の展示位置に加えて、ユーザのクライアント端末の測位情報、例えばユーザのモバイルクライアント端末のＧＰＳ（すなわち全地球測位システム）測位情報もしくは基地局測位情報、またはユーザのＰＣ（すなわちパーソナルコンピュータ）のＩＰ（すなわちインターネットプロトコル）アドレスにより、ユーザの現在位置も取得され得る。次いでユーザの現在位置が、展示会マップ上に表示され得る。展示会マップが展示会に関する部分のみを含み、ユーザの現在位置が展示会内にない場合、ユーザが現在展示会にいないことを知らせる催促情報が表示されてもよく、またはエラー報告メッセージが表示されることに留意されたい。展示会マップがフルマップモード、例えばＡマップモードであり、展示会のマップがＡマップで表示される場合、ユーザの現在位置はフルマップ上に表示される。ユーザの現在位置が展示会内にある場合、ユーザの現在位置は、展示会マップ上に表示される。ユーザの現在位置に加えて、ユーザの現在位置から商品の展示位置までの経路も表示され得る。経路は、ユーザの現在位置から商品の展示位置までの線であり得る。ユーザが展示会にいる場合、経路は、ユーザの現在位置から商品の展示位置までの通過経路であり得る。ユーザの現在位置がフルマップ上にある場合、経路は、地理的位置ナビゲーション経路であり得る。地理的位置ナビゲーション経路は、マップソフトウェアを使用して計算され得る。
【０１２１】
ユーザが閲覧する商品に応じて、当実施形態において提供される展示会ナビゲーション方法は、対応する展示会マップ及びリアルタイムの商品の展示位置を表示し、ユーザの位置ならびにユーザから商品の展示位置までの経路を表示して、ユーザが展示会に行くことを促進する。
【０１２２】
図１４は、本開示の例示的な一実施形態による、別の展示会ナビゲーション方法１４００のフローチャートである。図１４に示されるように、方法１４００は以下の動作を含み得る。
【０１２３】
Ｓ１４０１は、ユーザの現在位置を取得する。
【０１２４】
Ｓ１４０２は、ユーザの現在位置を展示会の地理的位置と比較して、ユーザが展示会にいるか否かを判定する。
【０１２５】
Ｓ１４０３は、ユーザが展示会にいる場合、ユーザが現在閲覧している商品情報を取得する。
【０１２６】
Ｓ１４０４は、商品情報に基づいて、ユーザが位置する展示会で、対応する商品が展示されているか否かを判定する。
【０１２７】
Ｓ１４０５は、ユーザが位置する展示会で商品が展示されている場合、展示会マップ上に商品の展示位置を表示する。
【０１２８】
本実施形態は、商品プラットフォーム（もしくはアプリケーション（ＡＰＰ））、電子商取引プラットフォーム（もしくはＡＰＰ）、または展示会プラットフォーム（もしくはＡＰＰ）などに適用され得る。展示会の地理的位置は、事前に記憶される。ユーザの現在位置が取得されると、ユーザの現在位置は、展示会の地理的位置と比較される。ユーザの現在位置が、展示会の地理的位置と同一である、または展示会の地理的位置範囲に含まれる場合、ユーザは展示会にいると判定される。そうでない場合、ユーザは現在、展示会のいずれにもいないため、プロセスは終了し得る。ユーザが展示会にいるという判定に応じて、展示会の展示会マップが表示され得る。あるいは、この時点で展示会マップは表示されなくてもよい。ユーザが展示会にいると判定されると、ユーザが現在閲覧している商品情報が取得され、商品情報は、ユーザが位置する展示会の商品情報と比較され、商品情報に対応する商品が、ユーザが位置する展示会に展示されているか否かが判定される。ユーザが位置する展示会の商品情報に、ユーザが現在閲覧している商品情報が含まれる場合、ユーザが現在閲覧している商品は、ユーザが位置する展示会に展示されていると判定される。事前に記憶された展示会の商品展示位置の中から、ユーザが現在閲覧している商品の展示位置が発見される。展示会マップが既に表示されている場合、商品の展示位置が展示会マップ上に表示される。展示会マップがまだ表示されていない場合、展示会マップが表示され、商品の展示位置が展示会マップ上に表示される。商品の展示位置は、ユーザに見やすいように強調表示され得る。
【０１２９】
本開示の当実施形態において提供される展示会ナビゲーション方法は、ユーザが展示会にいる時に、商品の展示位置までのリアルタイムのナビゲーションをユーザに提供して、ユーザが展示会内の商品の位置を素早く特定しやすくする。
【０１３０】
図１５は、本開示の例示的な一実施形態による、別の展示会ナビゲーション方法１５００のフローチャートである。図１５に示されるように、方法１５００は以下の動作を含み得る。
【０１３１】
Ｓ１５０１は、ユーザの現在位置を取得する。
【０１３２】
Ｓ１５０２は、ユーザの現在位置を展示会の地理的位置と比較して、ユーザが展示会内にいるか否かを判定する。
【０１３３】
Ｓ１５０３は、ユーザが展示会内にいる場合、ユーザが現在閲覧している商品情報を取得する。
【０１３４】
Ｓ１５０４は、商品情報に基づいて、ユーザが位置する展示会で、対応する商品が展示されているか否かを判定する。
【０１３５】
Ｓ１５０５は、ユーザが位置する展示会内に商品が存在する場合、展示会マップ上に商品の展示位置を表示する。
【０１３６】
Ｓ１５０６は、展示会マップ上にユーザの現在位置を表示する。
【０１３７】
Ｓ１５０７は、ユーザの現在位置から商品の展示位置までの経路を表示する。
【０１３８】
Ｓ１５０１〜Ｓ１５０５は、Ｓ１４０１〜１４０５と同じである。ユーザの展示会見学効率を向上させるために、商品の展示位置に加えて、ユーザの現在位置、及びユーザの現在位置から商品の展示位置までの経路もマップ上に表示され得る。経路は、ユーザの現在位置から商品の展示会位置までの線、またはユーザの現在位置から商品の展示位置までの通過経路であり得る。
【０１３９】
方法の実施形態の前述の説明を通して、本開示は、ソフトウェア及び必要な汎用ハードウェアプラットフォームにより実施可能であり、ハードウェアによっても実施され得ることが、当業者には明瞭に理解されよう。数多くの事例において、前者の方がより優れた実施態様であり得る。このような理解に基づいて、本開示の技術的解決策の本質、または既存技術に対する貢献部分は、ソフトウェア製品の形態で具現化されて記憶媒体に記憶されてもよく、本開示の実施形態における方法の動作の全てまたは一部をインテリジェントデバイスに実行させる命令を含んでもよい。前述の記憶媒体には、読み出し専用メモリ（ＲＯＭ）、ランダムアクセスメモリ（ＲＡＭ）、磁気ディスク、または光ディスクなど、データ及びプログラムコードを記憶可能な様々な種類の媒体が含まれ得る。
【０１４０】
図１６は、本開示の例示的な一実施形態による、展示会情報提示システム１６００の構造図である。図１６に示されるように、システム１６００は、ユーザが入力する展示会情報提示起動操作を取得するように構成された提示起動操作取得ユニットＵ１６０１であって、展示会情報提示起動操作は商品情報に関連付けられており、商品情報はユーザが現在閲覧または検索している商品に関する情報である、提示起動操作取得ユニットＵ１６０１と、展示会情報提示起動操作に応じて、事前設定の第１の位置に、商品情報に対応する展示会情報または展示会情報リンク項目を表示するように構成された第１の表示ユニットＵ１６０２と、を含み得る。
【０１４１】
実施態様において、展示会情報提示起動操作ＵＩ（すなわちユーザインターフェース）が、商品情報プラットフォーム上に設定される。展示会情報提示起動操作ＵＩは、商品情報に対応し、ＵＩは、商品閲覧ページまたは商品検索ページ上に配置され得る。商品閲覧ページは、個別商品情報ページまたは業者商品情報ページであり得る。展示会情報提示起動操作ＵＩはまた、商品検索ページ上にも存在し得る。適用シナリオでは、展示会情報提示起動操作ＵＩは、商品検索完了後に商品検索結果ページ上に表示され得、各商品に対応し得る。別の適用シナリオでは、検索ボックスが、展示会情報提示起動操作ＵＩとして機能し得る。検索対象の商品を入力した後に検索を確定するユーザ動作も、展示会情報提示起動操作であり得る。システムは、操作に応じて商品を検索し、検索結果を表示し、各検索結果に対応する展示会情報を検索結果ページ上に提示する。ユーザが展示会情報提示起動操作を行うと、各商品の展示会情報に関して操作が実行される。展示会情報提示起動操作ＵＩは商品情報に対応するように、展示会情報提示起動操作は、商品情報に関連付けられている。
【０１４２】
展示会情報提示起動操作ＵＩは、ボタン、またはチェックボックスなどであり得る。商品情報に対応する展示会情報は、事前に設定される。提示起動操作取得ユニットＵ１６０１は、展示会情報提示起動操作ＵＩと関連付けられ、ユーザが入力する展示会情報提示起動操作は、展示会情報提示起動操作ＵＩを通して取得される。
【０１４３】
実施態様において、展示会情報リンク項目を使用して、ユーザが入力するリンク操作を取得してもよく、リンク操作に応じて、対応する展示会情報提示ページが開かれ得る。第１の位置は、事前に設定される。適用シナリオでは、第１の位置は、本来の商品閲覧ページ上に確保された展示会情報提示位置であってもよく、または、本来の商品検索ページ上で各商品情報に対応する展示会情報提示位置であってもよい。第１の位置は、商品閲覧または検索ページの設計要件に従って、設定され得る。別の適用シナリオでは、第１の位置は、展示会情報提示起動操作に応じてポップアップした新ページまたは新ウィンドウ上に、第１の表示ユニットＵ１６０２により事前に設定された展示会情報提示位置である。本来の商品閲覧ページ、商品検索ページ、ポップアップした新ページまたは新ウィンドウにかかわらず、商品の展示会情報は、事前設定の第１の位置に直接表示され得る。あるいは、展示会情報リンク項目のみが提示される。あるいは、展示会情報の大部分は、残りの展示会情報が提示用に展示会情報リンク項目に縮小された状態で提示される。ユーザが展示会情報リンク項目をクリックする、または展示会情報リンク項目上にマウスを置くと、新たな提示ページまたは新たな提示ウィンドウが開き、展示会情報の全てまたは一部が表示される。比較的大容量のコンテンツが商品閲覧ページもしくは商品検索ページ上に表示される場合、または小さい新ウィンドウまたは新ページのみのポップアップが許される場合、展示会情報リンク項目を使うことが好適である。
【０１４４】
展示会情報提示システム１６００は、商品情報の提示と展示会情報の提示を組み合わせる。よって、商品を閲覧または検索する時、ユーザは、商品が出展される展示会に関する情報を即座に知ることができ、従って商品の展示会情報の普及率が拡大し、これにより、ユーザがより効率的かつより適時に、業者とのオフライン交流の場である展示会の情報を取得することが促進される。
【０１４５】
図１７は、本開示の例示的な一実施形態による、別の展示会情報提示システム１７００の構造図である。図１７に示されるように、システム１７００は、ユーザが入力する展示会情報提示起動操作を取得するように構成された提示起動操作取得ユニットＵ１７０１であって、展示会情報提示起動操作は商品情報に関連付けられており、商品情報はユーザが現在閲覧または検索している商品に関する情報である、提示起動操作取得ユニットＵ１７０１と、展示会情報提示起動操作に応じて、事前設定の第１の位置に、商品情報に対応する展示会情報または展示会情報リンク項目を表示するように構成された第１の表示ユニットＵ１７０２と、ユーザの展示会登録情報を取得するように構成された第１の展示会登録情報取得ユニットＵ１７０３と、展示会登録情報に基づいて、ユーザが登録した展示会が、商品情報に対応する展示会情報内の展示会と一致するか否かを判定するように構成された展示会情報照合ユニットＵ１７０４と、ユーザが登録した展示会が、商品情報に対応する展示会情報内の展示会と一致する場合、催促ダイアログボックスを表示するように構成された催促表示ユニットＵ１７０５と、を含み得る。
【０１４６】
実施態様において、ユーザが関心を持つ、または参加予定の展示会に関する情報をユーザが忘れないように、ならびに展示会に遅れずに参加するようにユーザにリマインドして、ユーザの商品展示会情報の印象を強化するために、ユーザの展示会登録情報が、第１の展示会登録情報取得ユニットＵ１７０３によりさらに取得される。展示会登録情報は、ユーザにより事前に入力され、ユーザが関心を持つ、または参加予定の展示会を記録するために使用される。第１の展示会登録情報取得ユニットＵ１７０３は、ユーザのユーザ名に基づいて、展示会登録情報を記憶するデータベースまたは記憶領域に、展示会登録情報を問合わせ得る。第１の展示会登録情報取得ユニットＵ１７０３が展示会登録情報を取得すると、展示会情報照合ユニットＵ１７０４は、ユーザが現在閲覧または検索している商品情報に対応する展示会情報を、展示会登録情報と比較する。ユーザが登録した展示会が、商品情報に対応する展示会情報内の展示会と一致する場合、催促表示ユニットＵ１７０５は、催促ダイアログボックスを表示する。催促ダイアログボックスは、ユーザが関心を持つ、または参加予定の展示会（複数可）に出展される１つ以上の商品をユーザにリマインドするために使用され得る。ユーザが複数の展示会に登録し、商品情報に対応する展示会情報が複数の展示会を含む場合、これは、ユーザが登録した全ての展示会は、商品情報に対応する展示会情報内の全ての展示会と同一であり得る、ユーザが登録した展示会の一部は、商品情報に対応する展示会情報内の全ての展示会と同一であり得る、ユーザが登録した全ての展示会は、商品情報に対応する展示会情報内の展示会の一部と同一であり得る、またはユーザが登録した展示会の一部は、商品情報に対応する展示会情報内の展示会の一部と同一であり得ることを示す。
【０１４７】
催促表示ユニットＵ１７０５は、複数の催促ダイアログボックスを表示し得る。ユーザが単一の商品を現在閲覧している場合、単一の催促ダイアログボックスを使用して、ユーザが関心を持つ、または見に行く予定の現在の商品が出展される展示会（複数可）の催促が行われ得る。ユーザが複数の商品を現在閲覧、またはユーザが商品（複数可）を検索している場合、複数の催促ダイアログボックスが使用されてもよく、各催促ダイアログボックスは、ユーザが関心を持つ、または見に行く予定の各商品が出展される展示会（複数可）の催促を行う。
【０１４８】
図１８は、本開示の例示的な一実施形態による、別の展示会情報提示システム１８００の構造図である。図１８に示されるように、システム１８００は、ユーザが入力する展示会情報提示起動操作を取得するように構成された提示起動操作取得ユニットＵ１８０１であって、展示会情報提示起動操作は商品情報に関連付けられており、商品情報はユーザが現在閲覧または検索している商品に関する情報である、提示起動操作取得ユニットＵ１８０１と、展示会情報提示起動操作に応じて、事前設定の第１の位置に、商品情報に対応する展示会情報または展示会情報リンク項目を表示するように構成された第１の表示ユニットＵ１８０２と、ユーザの展示会登録情報を取得するように構成された第１の展示会登録情報取得ユニットＵ１８０３と、展示会登録情報に基づいて、ユーザが登録した展示会が、商品情報に対応する展示会情報内の展示会と同一であるか否かを判定するように構成された展示会情報照合ユニットＵ１８０４と、ユーザが登録した展示会が、商品情報に対応する展示会情報内の展示会と同一である場合、催促ダイアログボックスを表示するように構成された催促表示ユニットＵ１８０５と、ユーザの現在位置情報を取得するように構成されたユーザ現在位置取得ユニットＵ１８０６と、現在位置情報に基づいて、ユーザが登録した展示会内にユーザがいるか否かを判定するように構成された位置照合ユニットＵ１８０７と、ユーザが登録した展示会内にユーザがいる場合、展示会内の商品の位置を表示するように構成された商品位置表示ユニットＵ１８０８と、を含み得る。
【０１４９】
ユーザ現在位置取得ユニットＵ１８０６は、ユーザが使用する端末の測位システムにより、ユーザの現在位置情報を取得し得る。ユーザの現在位置情報が取得されると、位置照合ユニットＵ１８０７は、ユーザが登録した展示会内にユーザがいるか否かを判定する。ユーザが登録した展示会の位置情報は、ユーザが展示会登録情報を入力する時に事前に入力され得る、またはユーザが入力した展示会登録情報内の展示会の名前に従って、システムがマップ情報を問合わせることで取得され得る。ユーザが登録した展示会にユーザがいる場合、すなわちユーザが登録した展示会の位置範囲内にユーザの現在位置がある場合、これは、ユーザが現在展示会に参加していることを示す。商品位置表示ユニットＵ１８０８は、展示会において、ユーザが現在閲覧または検索している商品の位置を表示する。展示会内の商品の位置を表示することは、ユーザが現在参加している展示会内の商品の位置を表示することを指し、このように表示することには、展示会の配置図を取得することと、配置図に商品の位置を印付けることが含まれ得る。配置図は、システム内に事前に記憶され得る、またはウェブ接続された展示会システムから取得され得る。展示会内の商品の位置は、商品に対応する展示会情報から取得され得る。ユーザが展示会を訪れている時に、展示会内の商品の位置がユーザに表示され、これにより、ユーザは商品を見つけやすくなり、従って商品の顧客誘引力は向上する。
【０１５０】
図１９は、本開示の例示的な一実施形態による、別の展示会情報提示システム１９００の構造図である。図１９に示されるように、システム１９００は、ユーザが入力する展示会情報提示起動操作を取得するように構成された提示起動操作取得ユニットＵ１９０１であって、展示会情報提示起動操作は商品情報に関連付けられており、商品情報はユーザが現在閲覧または検索している商品に関する情報である、提示起動操作取得ユニットＵ１９０１と、展示会情報提示起動操作に応じて、事前設定の第１の位置に、商品情報に対応する展示会情報または展示会情報リンク項目を表示するように構成された第１の表示ユニットＵ１９０２と、ユーザが収集またはフォローした商品情報に対応する展示時刻を問合わせるように構成された展示時刻問合わせユニットＵ１９０３と、展示時刻と現在時刻との時間差を計算するように構成された開始時間差計算ユニットＵ１９０４と、時間差が事前設定の閾値以下であるか否かを判定するように構成された判定ユニットＵ１９０５と、時間差が事前設定の閾値以下である場合、ユーザへ催促メッセージを送信するように構成された催促メッセージ送信ユニットＵ１９０６であって、催促メッセージは、収集またはフォローした商品情報に対応する展示会情報でユーザを催促するように使用される、催促メッセージ送信ユニットＵ１９０６と、を含み得る。
【０１５１】
実施態様において、展示時刻問合わせユニットＵ１９０３は、ユーザが事前に収集またはフォローした商品情報に対応する展示時刻を問合わせる。展示時間は、商品情報に対応する展示会情報から取得され得る。次いで、開始時間差計算ユニットＵ１９０４は、展示時刻と現在時刻との時間差を計算し得る。判定ユニットＵ１９０５の判定結果が、時間差が事前設定の閾値以下であることを示す場合、これは、ユーザが収集またはフォローした商品が出展予定の展示会が迫っていることを示す。催促メッセージ送信ユニットＵ１９０６は、収集またはフォローした商品情報に対応する展示会情報でユーザを催促するように催促メッセージをユーザに送信し、よって、関連する展示会に遅れずに参加するようにユーザをリマインドし得る。実施態様において、実際の状況に応じて、事前設定の閾値は設定され得る。実施態様において、時間差が事前設定の閾値以下であるという判定に応じて、催促メッセージは一定間隔で送信されるようにさらに設定され得る。
【０１５２】
図２０は、本開示の例示的な一実施形態による、別の展示会情報提示システム２０００の構造図である。図２０に示されるように、システム２０００は、ユーザが入力する展示会情報提示起動操作を取得するように構成された提示起動操作取得ユニットＵ２００１であって、展示会情報提示起動操作は商品情報に関連付けられており、商品情報はユーザが現在閲覧または検索している商品に関する情報である、提示起動操作取得ユニットＵ２００１と、展示会情報提示起動操作に応じて、事前設定の第１の位置に、商品情報に対応する展示会情報または展示会情報リンク項目を表示するように構成された第１の表示ユニットＵ２００２と、商品情報が、ユーザが現在検索している商品に関する情報を含む場合、ユーザの展示会登録情報を取得するように構成された第２の展示会登録情報取得ユニットＵ２００３と、展示会登録情報と一致する展示会情報に対応する推奨商品情報を問合わせるように構成された推奨商品情報問合せユニットＵ２００４と、推奨商品情報を商品検索結果ページ上に優先的に表示するように構成された推奨商品情報表示ユニットＵ２００５と、を含み得る。
【０１５３】
実施態様において、商品情報が、ユーザが現在検索している商品に関する情報を含む場合（すなわちユーザが商品を検索している場合）、第２の展示会登録情報取得ユニットＵ２００３は、ユーザが事前に入力した展示会登録情報を取得する。推奨商品情報問合せユニットＵ２００４は、見つかった商品情報に対応する展示会情報の中から、展示会登録情報と一致する展示会情報を問合せ、展示会登録情報と一致する展示会情報に対応する商品情報、すなわち推奨商品情報を取得する。推奨商品情報表示ユニットＵ２００５は、見つかった推奨商品情報を、商品検索結果ページ上に優先的に表示し得る。実施態様において、商品情報に対応する展示会情報が、展示会登録情報と一致することには、商品情報に対応する展示会情報内の全ての展示会が、展示会登録情報内の全ての展示会と同じであること、商品情報に対応する展示会情報内の展示会の一部が、展示会登録情報内の全ての展示会と同じであること、商品情報に対応する展示会情報内の全ての展示会が、展示会登録情報内の展示会の一部と同じであること、または商品情報に対応する展示会情報内の展示会の一部が、展示会登録情報内の展示会の一部と同じであることが含まれ得る。実施態様において、優先的に表示することには、商品検索結果ページ上に他の商品情報より先に推奨商品情報を配置すること、推奨商品情報を強調表示すること、または他の商品情報より先に推奨商品情報を配置することと推奨商品情報を強調表示することとの組み合わせが含まれ得る。従って、ユーザが対象とする商品の検索効率は向上し、商品の宣伝が強化される。
【０１５４】
図２１は、本開示のさらなる例示的な一実施形態による、別の展示会情報提示システム２１００の構造図である。図２１に示されるように、システム２１００は、ユーザが入力する展示会情報提示起動操作を取得するように構成された提示起動操作取得ユニットＵ２１０１であって、展示会情報提示起動操作は商品情報に関連付けられており、商品情報はユーザが現在閲覧または検索している商品に関する情報である、提示起動操作取得ユニットＵ２１０１と、展示会情報提示起動操作に応じて、事前設定の第１の位置に、商品情報に対応する展示会情報または展示会情報リンク項目を表示するように構成された第１の表示ユニットＵ２１０２と、新たな展示会の開催情報を取得するように構成された開催情報取得ユニットＵ２１０３であって、開催情報には展示される商品カテゴリが含まれる、開催情報取得ユニットＵ２１０３と、商品情報に基づいて、商品が商品カテゴリに属するか否かを判定するように構成された商品カテゴリ判定ユニットＵ２１０４と、商品が商品カテゴリに属する場合、商品情報に対応する展示会情報に基づいて、商品が新たな展示会に登録されているか否かを判定するように構成された展示会出展判定ユニットＵ２１０５と、商品が新たな展示会に登録されている場合、商品が新たな展示会に出展されることを示すラベルを表示するように構成された展示会出展ラベル表示ユニットＵ２１０６と、商品が新たな展示会に登録されていない場合、新展示会推薦メッセージを表示するように構成された展示会推薦メッセージ表示ユニットＵ２１０７と、を含み得る。
【０１５５】
適用シナリオでは、商品情報は、商品カテゴリを含み得る。商品の情報を設定またはアップロードする時に、業者は、例えば商品が既に出展予定された、現在出展している、及び今後出展予定である展示会に関する情報、ならびに商品が出展される展示会のそれぞれの商品カテゴリを含む、商品の提示情報を設定し得る。展示会情報展示システムは、商品情報を提示する時に、商品情報に対応する展示会情報を提示するが、これは、提示情報が既に設定されている場合に限られる。展示会情報提示システム２１００は、展示会機関の展示会データシステムに接続され得る。展示会の宣伝及びサービスプラットフォームとして、展示会情報システム２１００は、新たな展示会の開催情報を受動的に取得し得る、すなわち開催情報取得ユニットＵ２１０３は、展示会データシステムが送信する新たな展示会の開催情報を受信し得る。付加的または代替的に、開催情報取得ユニットＵ２１０３は、設定時間に従って、展示会データシステムから新たな展示会の開催情報を能動的に取得し得る。新たな展示会は、展示会情報提示システム２１００が最後に受信または取得した開催情報に対応する展示会であり得る。通常、複数の展示会が存在する。従って、各展示会に関して、展示会情報提示システムが最後に受信した各展示会の開催情報は、展示会履歴にてその展示会の新たな展示と見なされ得る。そのため、複数の新たな展示会も存在し得る。新たな展示会の開始時間は、必ずしも未来の時間とは限らない場合がある。新たな展示会は、現在行われている展示会であってもよく、または近日中の展示会であってもよい。
【０１５６】
開催情報に含まれる展示商品カテゴリはさらに、場所、時間、及び展示規模などの情報を含み得る。新たな展示会の開催情報を取得後、開催情報取得ユニットＵ２１０３はまた、新たな展示会に展示される商品カテゴリを取得し得る。商品カテゴリ判定ユニットＵ２１０４は、業者が既に設定またはアップロードした商品情報内の商品カテゴリに基づいて、業者の商品が商品カテゴリに属するか否かを判定し得る。新たな展示会で展示される商品カテゴリに商品が属する場合、これは、商品が新たな展示会に出展され得ることを示す。この場合、展示会出展判定ユニットＵ２１０５はさらに、商品情報に対応する展示会情報に基づいて、商品が新たな展示会に既に出展されたか否かに関して、判定し得る。判定には、新たな展示会が展示会情報に存在するか否かを判定することが含まれ得る。新たな展示会が存在する場合、これは、商品が新たな展示会に出展されたことを示す。新たな展示会が存在しない場合、これは、商品が新たな展示会に出展されないことを示す。付加的または代替的に、判定には、新たな展示会の情報を展示会情報と比較することが含まれ得る。新たな展示会と同じ名前の展示会が展示会情報に存在する場合、展示会の開始時間が、新たな展示会の開始時間とさらに比較される。開始時間も同一である場合、これは、商品が新たな展示会に出展されたことを示す。そうでない場合、これは、商品が新たな展示会に出展されないことを示す。
【０１５７】
商品が新たな展示会に出展された場合、展示会出展ラベル表示ユニットＵ２１０６は、商品が新たな展示会に出展されたことを示すラベルを、商品情報が掲載されたページ上に表示して、ユーザに展示会を訪問するようリマインドし得る。商品情報が掲載されたページが別個の商品情報ページまたは業者商品情報ページである場合、業者の商品は通常同一の展示会に出展されることから、新たな展示会に出展された業者の単一商品または複数の商品を示すラベルがページ上に表示される。新たな展示会に商品が出展されたことを示すラベルはまた、業者商品情報ページでは、新たな展示会に出展される各商品に関する各情報の提示項目設定位置に表示され得る。これは、複数の新たな展示会が存在し、業者の異なる商品が異なる新たな展示会に出展される場合に、特に当てはまる。これらの場合、新たな展示会に出展される各商品に関する１つの情報に応じて、各商品が新たな展示会に出展されたことを示すラベルが表示されるため、関連する新展示会出展情報が、ユーザに対しより明瞭に表示され得る。検索結果ページなど、複数の商品情報を有するページ上では、各商品の１つの情報に応じて、各商品が新たな展示会に出展されたことを示すラベルはまた、当商品の１つの情報の提示項目設定位置に表示され得る。商品が新たな展示会に出展されない場合、展示会推薦メッセージ表示ユニットＵ２１０７は、商品が新たな展示会に出展し得ることをユーザまたは業者にリマインドするために、新展示会推薦メッセージを表示し得る。商品を出展可能である新たな展示会を推薦することは、業者にとってより価値があるため、新展示会推薦メッセージが、業者のアカウントのログイン後に表示される商品情報ページ上にのみ表示され得る。商品が商品カテゴリに属さない場合、これは、商品が新たな展示会に出展できないことを示し、よってプロセスは終了する。
【０１５８】
図２２は、本開示の例示的な一実施形態による、別の展示会情報提示システム２２００の構造図である。図２２に示されるように、システム２２００は、展示会情報を取得するように構成された展示会情報取得ユニットＵ２２０１と、展示会情報に基づいて、展示会に含まれる商品カテゴリを特定するように構成された商品カテゴリ特定ユニットＵ２２０２と、商品カテゴリに属する商品のページ上に、関連展示会情報を提示するように構成された提示ユニットＵ２２０３と、を含み得る。
【０１５９】
実施態様において、提示ユニットＵ２２０３は、商品カテゴリに属する商品のページ上で完全な展示会情報を提示し得る、または展示会情報が複数の商品カテゴリを含む場合には、商品カテゴリに属する商品のページ上で商品に対応する展示会情報の一部を提示し得る。
【０１６０】
実施態様において、商品プラットフォームまたは電子商取引プラットフォームは、展示会プラットフォームとのプロトコルを事前に定義し得る。展示会情報提示システム２２００は、プロトコルに従って展示会プラットフォームから展示会情報、特に新展示会情報を、定期的に、または提示要求に応じて読み出すなど不定期に、読み出し得る。付加的または代替的に、展示会プラットフォームに記憶された展示会情報が更新されると、展示会プラットフォームは、展示会情報提示システム２２００に更新メッセージを送信してもよく、展示会情報提示システム２２００は、更新メッセージを受信後、展示会プラットフォームから新展示会情報を読み出し得る。付加的または代替的に、展示会プラットフォームは、展示会情報提示システム２２００に定期的に展示会情報を送信し得る。付加的または代替的に、展示会プラットフォーム内の展示会情報が更新されると、展示会プラットフォームは、展示会情報提示システム２２００に新展示会情報を送信し、展示会情報提示システムは、展示会情報を受信する。展示会情報は、展示会に展示される商品カテゴリ（複数可）を含み、さらに展示会に関連する時間、場所、ブース分布、商品紹介、製造業者紹介、及びマーケティング活動などの情報を含み得る。
【０１６１】
展示会情報取得ユニットＵ２２０１が展示会情報を取得すると、商品カテゴリ特定ユニットＵ２２０２は、展示会情報の構成に従って、展示会に含まれる商品カテゴリを構文解析する。展示会情報内に商品カテゴリ属性が設定されている場合、展示会情報から商品カテゴリ属性を直接読み取ることができ、これにより、展示会に含まれる商品カテゴリが特定される。商品カテゴリが特定されると、提示ユニットＵ２２０３は、商品カテゴリを、商品プラットフォームまたは電子商取引プラットフォーム内の商品カテゴリと照合する。商品カテゴリが商品プラットフォーム内に存在しない場合、プロセスは終了する。商品カテゴリが存在する場合、商品カテゴリに属する１つ以上の商品が商品プラットフォーム内で検索され、１つ以上の商品のページ（複数可）上に、各展示会情報が提示される。展示会情報の提示は、完全な展示会情報の提示であってもよい。実施態様において、各商品に関して、展示会情報から各商品に対応する部分が抽出されてもよく、各商品に対応する展示会情報の部分が、各商品のページ上に提示されてもよい。提示には、事前に商品のページ上に提示領域を設定して、事前設定の提示領域に商品に関連する展示会情報を提示すること、または商品のページまたは新たなページ上のポップアップウィンドウに関連展示会情報を提示することが含まれ得る。
【０１６２】
図２３は、本開示の例示的な一実施形態による、別の展示会情報提示システム２３００の構造図である。図２３に示されるように、システム２３００は、展示会情報を取得するように構成された展示会情報取得ユニットＵ２３０１と、展示会情報が取得された後、展示会情報に従って展示会に関連する商品カテゴリが特定される前に、展示会情報を審査するように構成された審査ユニットＵ２３０２と、展示会情報が審査を通った場合、展示会情報に基づいて展示会に含まれる商品カテゴリを特定するように構成された商品カテゴリ特定ユニットＵ２３０３と、商品カテゴリに属する商品のページ上に、関連展示会情報を提示するように構成された提示ユニットＵ２３０４と、を含み得る。
【０１６３】
展示会情報取得ユニットＵ２３０１が展示情報を取得すると、審査ユニットＵ２３０２は、展示会情報を審査し、例えば、展示会情報が違法であるか否か、または展示会情報が期限切れであるか否か、検査を行う。展示会情報が審査を通った場合、商品カテゴリ特定ユニットＵ２３０３は、展示会情報に従って、展示会に含まれる商品カテゴリを特定する。展示会情報を審査することは、システムのセキュリティ及びプログラム実行の有効性を確保することを助長する。
【０１６４】
本開示の本実施形態において提供される展示会情報提示システム２３００は、展示会プラットフォームと協働して自動で展示会プラットフォームから展示会情報を取得し、展示会情報に含まれる商品カテゴリを特定し、完全な展示会情報、または商品カテゴリに属する商品の対応展示会情報を商品のページ上に表示し、よって、展示会情報に関して、商品ベースの対象を絞った自動的な宣伝を実施する。これは大幅に宣伝効率を高め、宣伝の適時性及び普及率を向上させる。
【０１６５】
図２４は、本開示の例示的な一実施形態による、展示会ナビゲーション装置２４００の構造図である。図２４に示されるように、装置２４００は、ユーザが現在閲覧している商品情報を取得するように構成された第１の商品情報取得ユニットＵ２４０１と、商品情報に基づいて、対応する商品が展示会で展示されているか否かを判定するように構成された展示判定ユニットＵ２４０２と、商品が展示会で展示されている場合、展示会の展示会マップを表示して、展示会マップ上に商品の展示位置を表示するように構成された位置表示ユニットＵ２４０３と、を含み得る。
【０１６６】
本実施形態において提供される装置は、商品プラットフォーム（もしくはアプリケーション（ＡＰＰ））、電子商取引プラットフォーム（もしくはＡＰＰ）、または展示会プラットフォーム（もしくはＡＰＰ）などに適用され得る。ユーザが商品を閲覧する時、第１の商品情報取得ユニットＵ２４０１は、対応する商品情報を取得し得る。展示判定ユニットＵ２４０２は、商品情報に対応する商品が、予め記憶された展示商品情報（一般に展示会情報に含まれる）内に存在するか否かを、検索して判定し得る。商品が存在する場合、商品がある展示会（複数可）に出品されているまたは出品されると判定することができ、商品が出品されているまたは出品される展示会（複数可）が、商品に対応する展示商品情報に基づいて特定することができる。商品が存在しない場合、プロセスは終了する。
【０１６７】
商品が存在する場合、位置表示ユニットＵ２４０３は、展示会の展示会マップ（すなわち商品が属する展示会の展示会マップ）を表示し、展示会の商品展示位置情報から商品の位置情報を見つけ、位置情報に従って、展示会マップ上に商品の展示位置を表示する。商品の展示位置はさらに、強調表示され得る。
【０１６８】
本開示の本実施形態において提供される装置２４００は、対応する展示会マップと、ユーザが閲覧している商品に基づいてリアルタイムの商品の展示位置とを表示し、よって、商品の情報を閲覧する時に展示会に関する情報を見ることを実現する。これは、ユーザが展示会に行き、展示会に参加することを促進する。
【０１６９】
図２５は、本開示の例示的な一実施形態による、別の展示会ナビゲーション装置２５００の構造図である。図２５に示されるように、装置２５００は、ユーザが現在閲覧している商品情報を取得するように構成された第１の商品情報取得ユニットＵ２５０１と、商品情報に基づいて、対応する商品が展示会で展示されているか否かを判定するように構成された展示判定ユニットＵ２５０２と、商品が展示会で展示されている場合、展示会の展示会マップを表示して、展示会マップ上に商品の展示位置を表示するように構成された位置表示ユニットＵ２５０３と、ユーザの現在位置を取得するように構成されたユーザ位置取得ユニットＵ２５０４と、展示会マップ上にユーザの現在位置を表示するように構成されたユーザ位置表示ユニットＵ２５０５と、ユーザの現在位置から商品の展示位置までの経路を表示するように構成された経路表示ユニットＵ２５０６と、を含み得る。
【０１７０】
実施態様において、商品の展示位置の表示に加えて、ユーザ位置取得ユニットＵ２５０４はさらに、ユーザのクライアント端末の測位情報、例えばユーザのモバイルクライアント端末のＧＰＳ測位情報もしくは基地局測位情報、またはユーザのＰＣのＩＰアドレスにより、ユーザの現在位置を取得し得る。ユーザ位置表示ユニットＵ２５０５は、展示会マップ上にユーザの現在位置を表示し得る。展示会マップが展示会に関する部分のみを含み、ユーザの現在位置が展示会内にない場合、展示会ナビゲーションシステム２５００は、ユーザが現在展示会にいないことを示す催促情報を表示してもよく、またはエラー報告メッセージを表示してもよい。展示会マップがフルマップモード、例えばＡマップモードであり、展示会のマップがＡマップで表示される場合、ユーザ位置表示ユニットＵ２５０５は、ユーザの現在位置をフルマップ上に表示し得る。ユーザの現在位置が展示会内にある場合、ユーザ位置表示ユニットＵ２５０５は、展示会マップ上にユーザの現在位置を表示し得る。ユーザの現在位置の表示に加えて、経路表示ユニットＵ２５０６はさらに、ユーザの現在位置から商品の展示位置までの経路を表示し得る。実施態様において、経路は、ユーザの現在位置から商品の展示位置までの線であり得る。ユーザが展示会内にいる場合、経路は、ユーザの現在位置から商品の展示位置までの通路を含む経路であり得る。ユーザの現在位置がフルマップ上にある場合、経路は、地理的位置ナビゲーション経路であり得、地理的位置ナビゲーション経路は、マップソフトウェアを使用して計算され得る。
【０１７１】
ユーザが閲覧する商品に応じて、当実施形態において提供される展示会ナビゲーション装置２５００は、対応する展示会マップ及びリアルタイムの商品の展示位置を表示し、ユーザの位置ならびにユーザから商品の展示位置までの経路を表示して、ユーザが展示会に行くことを促進する。
【０１７２】
図２６は、本開示の例示的な一実施形態による、別の展示会ナビゲーション装置２６００の構造図である。図２６に示されるように、装置２６００は、ユーザの現在位置を取得するように構成されたユーザ位置取得ユニットＵ２６０１と、ユーザの現在位置を展示会の地理的位置と比較して、ユーザが展示会内にいるか否かを判定するように構成された第１の判定ユニットＵ２６０２と、ユーザが展示会内にいる場合、ユーザが現在閲覧している商品情報を取得するように構成された第２の商品情報取得ユニットＵ２６０３と、商品情報に基づいて、ユーザが位置する展示会で対応する商品が展示されているか否かを判定するように構成された第２の判定ユニットＵ２６０４と、ユーザが位置する展示会に商品が含まれる場合、展示会マップ上に商品の展示位置を表示するように構成された展示位置表示ユニットＵ２６０５と、を含み得る。
【０１７３】
本実施形態において提供される装置は、商品プラットフォーム（もしくはアプリケーション（ＡＰＰ））、電子商取引プラットフォーム（もしくはＡＰＰ）、または展示会プラットフォーム（もしくはＡＰＰ）などに適用され得る。展示会の地理的位置は、事前に記憶される。ユーザ位置取得ユニットＵ２６０１がユーザの現在位置を取得すると、第１の判定ユニットＵ２６０２は、ユーザの現在位置と展示会の地理的位置を比較する。ユーザの現在位置が、ある展示会の地理的位置と同一である、または展示会の地理的位置範囲に含まれる場合、ユーザは展示会内にいると判断される。そうでない場合、ユーザは現在、展示会のいずれにもいないため、プロセスは終了し得る。第１の判定ユニットＵ２６０２が、ユーザは展示会内にいると判定した場合、展示会の展示会マップが表示され得る。あるいは、この時点で展示会マップは表示されなくてもよい。ユーザが展示会内にいると判定されると、第２の商品情報取得ユニットＵ２６０３は、ユーザが現在閲覧している商品情報を取得し、第２の判定ユニットＵ２６０４は、商品情報を、ユーザが位置する展示会の商品情報と比較して、商品情報に対応する商品が、ユーザが位置する展示会に展示されているか否かを判定する。ユーザが位置する展示会の商品情報に、ユーザが現在閲覧している商品情報が含まれる場合、ユーザが現在閲覧している商品は、ユーザが位置する展示会に展示されていると判定される。展示位置表示ユニットＵ２６０５は、事前に記憶された展示会の商品展示位置の中から、ユーザが現在閲覧している商品の展示位置を発見する。展示会マップが既に表示されていた場合、商品の展示位置が展示会マップ上に表示される。展示会マップがまだ表示されていなかった場合、展示会マップが表示され、商品の展示位置が展示会マップ上に表示される。商品の展示位置は、ユーザに見やすいように強調表示され得る。
【０１７４】
本実施形態において提供される展示会ナビゲーション装置２６００は、ユーザが展示会にいる時に、商品の展示位置までのリアルタイムのナビゲーションをユーザに提供して、ユーザが展示会内の商品の位置を素早く特定しやすくする。
【０１７５】
図２７は、本開示の例示的な一実施形態による、別の展示会ナビゲーション装置２７００の構造図である。図２７に示されるように、装置２７００は、ユーザの現在位置を取得するように構成されたユーザ位置取得ユニットＵ２７０１と、ユーザの現在位置を展示会の地理的位置と比較して、ユーザが展示会内にいるか否かを判定するように構成された第１の判定ユニットＵ２７０２と、ユーザが展示会内にいる場合、ユーザが現在閲覧している商品情報を取得するように構成された第２の商品情報取得ユニットＵ２７０３と、商品情報に基づいて、ユーザが位置する展示会で対応する商品が展示されているか否かを判定するように構成された第２の判定ユニットＵ２７０４と、ユーザが位置する展示会に商品が含まれる場合、展示会マップ上に商品の展示位置を表示するように構成された展示位置表示ユニットＵ２７０５と、展示会マップ上にユーザの現在位置を表示するように構成されたユーザ位置表示ユニットＵ２７０６と、ユーザの現在位置から商品の展示位置までの経路を表示するように構成された経路表示ユニットＵ２７０７と、を含み得る。
【０１７６】
商品の展示位置の表示に加えて、ユーザ位置表示ユニットＵ２７０６により、ユーザの現在位置もマップ上に表示され得る。ユーザの展示会見学効率を向上させるために、経路表示ユニットＵ２７０７を使用して、ユーザの現在位置から商品の展示位置までの経路が、マップ上にさらに表示され得る。実施態様において、経路は、ユーザの現在位置から商品の展示会位置までの線、またはユーザの現在位置から商品の展示位置までの通路を含む経路であり得る。
【０１７７】
図２８は、図１６〜２７においてより詳細に示される例示的な装置（またはシステム）２８００を示す構造図である。実施態様において、装置２８００は、１つ以上のコンピューティングデバイスを含んでもよい。実施態様において、装置２８００は、１つ以上のコンピューティングデバイスに含まれてもよい。限定ではなく例として、図２８に示されるように、装置２８００は、１つ以上のプロセッサ（ＣＰＵ）２８０１と、入力／出力インターフェース２８０２と、ネットワークインターフェース２８０３と、メモリ２８０４とを含み得る。
【０１７８】
メモリ２８０４には、例えば非永続的記憶デバイス、ランダムアクセスメモリ（ＲＡＭ）、及び／または読出専用メモリ（ＲＯＭ）もしくはフラッシュＲＡＭなどの不揮発性内部記憶装置といった、コンピュータ可読媒体の形態が含まれ得る。メモリ２８０４は、コンピュータ可読媒体の一実施例である。
【０１７９】
コンピュータ可読媒体には、任意の方法または技術を用いて情報の記憶を達成し得る永続型または非永続型、着脱可能または着脱不可な媒体が含まれ得る。情報には、コンピュータ可読命令、データ構造、プログラムモジュール、または他のデータが含まれ得る。コンピュータ記憶媒体の実施例には、相変化メモリ（ＰＲＡＭ）、静的ランダムアクセスメモリ（ＳＲＡＭ）、動的ランダムアクセスメモリ（ＤＲＡＭ）、他の種類のランダムアクセスメモリ（ＲＡＭ）、読出専用メモリ（ＲＯＭ）、電気的消去可能プログラマブル読出専用メモリ（ＥＥＰＲＯＭ）、高速フラッシュメモリもしくは他の内部記憶技術、コンパクトディスク読出専用メモリ（ＣＤ−ＲＯＭ）、デジタル多用途ディスク（ＤＶＤ）もしくは他の光学記憶装置、磁気カセットテープ、磁気ディスク記憶装置もしくは他の磁気記憶装置、またはコンピューティングデバイスによりアクセスされ得る情報を記憶するために使用され得るその他の非伝達媒体が含まれるが、これらに限定されない。本明細書において定義されるコンピュータ可読媒体には、変調データ信号及び搬送波などの一時的媒体は含まれない。説明を簡易にするため、システムは機能に基づいて様々な種類のユニットに分割され、ユニットは前述にて個別に説明される。本開示の実施態様の間、様々なユニットの機能が、１つ以上のソフトウェア及び／またはハードウェア構成要素で実施され得ることは明らかであろう。
【０１８０】
実施態様において、メモリ２８０４は、プログラムユニット２８０５と、プログラムデータ２８０６とを含み得る。プログラムユニット２８０５は、図１６〜２７における装置及び／またはシステムの１つ以上の前述のユニットを含み得る。
【０１８１】
本明細書における実施形態は、段階的に説明される。実施形態における同一または類似部分は、互いに参照可能である。各実施形態の重点は、他の実施形態とは異なる。さらに、システムまたはシステム実施形態の説明は、方法実施形態に実質的に類似するため、比較的に簡潔である。関連部分に関しては、方法実施形態の説明の関連部分を参照してもよい。前述のシステムまたはシステム実施形態は、例示に過ぎず、別個の構成要素として説明されるユニットは、物理的に別個であってもよく、別個でなくてもよい。ユニットとして表示される構成要素は、物理的ユニットであってもよく、物理的ユニットでなくてもよく、すなわち単一の場所に配置されてもよく、または複数のネットワークユニットに分散されてもよい。実施形態の解決策の目的を達成するために、モジュールの一部または全ては、実際の要求に従って選択され得る。当業者は、創作的努力を注ぐことなく、本開示を理解し実施することが可能である。
【０１８２】
本明細書における「第１」、「第２」などの関係を示す用語は、１つのエンティティまたは動作を別のエンティティまたは動作と区別するためにのみ使用され、これらのエンティティ間または動作間にいずれの実質的関係性または逆の順序を要求または意味するわけではないことに留意されたい。さらに、「ｉｎｃｌｕｄｅ（含む）」、「ｃｏｍｐｒｉｓｅ（備える）」などの用語、またはこれらの任意の変形には、非排他的包含を対象とする意図があり、よって一連の要素を含むプロセス、方法、システム、またはデバイスは、これらの要素を含むだけでなく、明確に指定されない他の要素も含み、もしくはプロセス、方法、システム、またはデバイスに固有の要素をさらに含み得る。付加的な制約のない状態で、「ｉｎｃｌｕｄｅ  ａ／ａｎ．．．（〜を含む）」で限定される要素は、当要素を含むプロセス、方法、システム、またはデバイス内に、他の同じ要素が存在することを除外しない。
【０１８３】
前述の説明は、当業者が本開示を理解または実施することを可能にするための、本開示の例示的な実施態様に過ぎない。これらの実施形態のさまざまな種類の変更は、当業者にとって明瞭であり、本明細書において定義される一般原理は、本開示の趣旨または範囲から逸脱することなく、他の実施形態において実施されてもよい。よって、本開示は、本明細書において示されるこれらの実施形態に限定されることはなく、本明細書において開示される原理及び新たな特徴と一貫する最も広い範囲に対応する必要がある。
【図１】
2019519016.tif 000003
【図２】
2019519016.tif 000004
【図３】
2019519016.tif 000005
【図４】
2019519016.tif 000006
【図５】
2019519016.tif 000007
【図６】
2019519016.tif 000008
【図７】
2019519016.tif 000009
【図８】
2019519016.tif 000010
【図９】
2019519016.tif 000011
【図１０】
2019519016.tif 000012
【図１１】
2019519016.tif 000013
【図１２】
2019519016.tif 000014
【図１３】
2019519016.tif 000015
【図１４】
2019519016.tif 000016
【図１５】
2019519016.tif 000017
【図１６】
2019519016.tif 000018
【図１７】
2019519016.tif 000019
【図１８】
2019519016.tif 000020
【図１９】
2019519016.tif 000021
【図２０】
2019519016.tif 000022
【図２１】
2019519016.tif 000023
【図２２】
2019519016.tif 000024
【図２３】
2019519016.tif 000025
【図２４】
2019519016.tif 000026
【図２５】
2019519016.tif 000027
【図２６】
2019519016.tif 000028
【図２７】
2019519016.tif 000029
【図２８】
2019519016.tif 000030
【国際調査報告】
2019519016.tif 000031